(57)【特許請求の範囲】
【請求項１】
ワイヤレス通信ネットワーク内の基地局の協調マルチポイント（ＣｏＭＰ）協調セットのうちの基地局によるワイヤレス通信のための方法であって、
無認可無線周波数スペクトル帯域へのアクセスについて競合するためにクリアチャネルアセスメント（ＣＣＡ）手順を実施することと、
時間期間について競合に勝ったかどうかを示すＣＣＡ状態を決定することと、
前記ＣＣＡ状態を前記ＣｏＭＰ協調セット内の１つまたは複数の他の基地局に通信することと、
を備える、方法。
【請求項２】
前記ＣＣＡ手順を実施することが、
拡張クリアチャネルアセスメント（ｅＣＣＡ）手順を実施することを備える、請求項１に記載の方法。
【請求項３】
前記時間期間について前記競合に勝っているＣＣＡ状態を有する前記ＣｏＭＰ協調セット内の１つまたは複数の基地局を使用してユーザ機器（ＵＥ）とのＣｏＭＰ通信を開始することをさらに備える、請求項１に記載の方法。
【請求項４】
前記１つまたは複数の他の基地局が前記時間期間について競合に勝ったかどうかを示す前記１つまたは複数の他の基地局の１つまたは複数のＣＣＡ状態を受信することをさらに備える、請求項１に記載の方法。
【請求項５】
前記時間期間が、複数のサブフレームを備える無線フレームを送信するための時間期間に対応し、
前記通信および前記受信が、前記無線フレームのＣＣＡ状態通知時間期間中に実施される、請求項４に記載の方法。
【請求項６】
ＣｏＭＰ通信を開始することが、前記無線フレームの前記ＣＣＡ状態通知時間期間の後に実施される、または、前記ＣＣＡ状態通知時間期間が、前記ＣＣＡ手順の性質に少なくとも部分的に基づいて決定され得る、請求項５に記載の方法。
【請求項７】
前記ＣｏＭＰ通信を開始することが、前記１つまたは複数の基地局のうちのある基地局によって制御チャネルを前記ＵＥに送信することと、前記１つまたは複数の基地局のうちの残りの基地局によって１つまたは複数のデータチャネルを前記ＵＥに送信することと、を備える、請求項３に記載の方法。
【請求項８】
前記ＣｏＭＰ通信を開始することが、
前記時間期間の少なくとも一部の間に前記基地局から前記ユーザ機器（ＵＥ）への動的ポイント選択（ＤＰＳ）通信を開始することと、
前記１つまたは複数の他の基地局のうちの１つが前記ＵＥとのＤＰＳ通信を実施している間、前記基地局からのＤＰＳ通信を中止することと、
を備える、請求項３に記載の方法。
【請求項９】
前記時間期間の少なくとも前記一部が、無線フレームのＣＣＡ状態通知時間期間に対応し、前記基地局からのＤＰＳ通信を中止することが、
前記ＵＥへのワイヤレス送信を中止すること、および／または
送信帯域幅しきい値を維持するために１つもしくは複数の他のＵＥに送信することを備える、あるいは、
前記時間期間の前記一部が、第１の無線フレームの時間期間に対応し、前記基地局からのＤＰＳ通信を中止することが、第２の無線フレームの間、前記ＵＥへの送信を中止することを備える、請求項８に記載の方法。
【請求項１０】
チャネル状態情報（ＣＳＩ）報告を前記基地局から前記ＣｏＭＰ協調セット内の前記１つまたは複数の他の基地局に転送することをさらに備え、
前記ＣＳＩ報告は、前記ＣｏＭＰ協調セット内の前記１つまたは複数の他の基地局によって使用するためのランクインジケータ（ＲＩ）を含み、
前記ＲＩは、前記基地局の後続のＣＣＡ手順が失敗し、前記１つまたは複数の他の基地局が前記後続のＣＣＡ手順の前記競合に勝つときに、前記ＣｏＭＰ協調セット内の前記１つまたは複数の他の基地局によって使用するためのものである、請求項１に記載の方法。
【請求項１１】
請求項１〜１０のうちのいずれか一項に記載の方法を実施するための手段を備える基地局。
【請求項１２】
ワイヤレス通信ネットワーク内のユーザ機器によるワイヤレス通信のための方法であって、
無認可無線周波数スペクトル帯域へのアクセスについてのクリアチャネルアセスメント（ＣＣＡ）手順に少なくとも部分的に基づいて、協調マルチポイント（ＣｏＭＰ）協調セット内の２つ以上の基地局が時間期間について競合に勝ったかどうかを決定することと、
競合に勝った前記ＣｏＭＰ協調セット内の前記２つ以上の基地局からＣｏＭＰ通信を受信することと
を備える、方法。
【請求項１３】
前記決定に基づいて基準信号測定値を前記２つ以上の基地局に送信することをさらに備える、請求項１２に記載の方法。
【請求項１４】
請求項１２または１３のうちのいずれか一項に記載の方法を実施するための手段を備えるユーザ機器。
【請求項１５】
プロセッサによって実行されたとき、請求項１〜１０、１２、または１３のうちのいずれか一項に記載の方法を実施する命令を記憶した非一時的コンピュータ可読媒体。
【発明の詳細な説明】
【技術分野】
【０００１】
相互参照
[0001]本特許出願は、各々が本出願の譲受人に譲渡された、２０１４年９月３０日に出願された、「Techniques for Downlink Coordinated Multi-Point (CoMP) Communications Using Unlicensed Radio Frequency Spectrum Band」と題する、Ｌｕｏらによる米国特許出願第１４／５０１，９２９号、および２０１３年１１月２５日に出願された、「Techniques For Downlink Coordinated Multi-Point (CoMP) Communications Using Unlicensed Radio Frequency Spectrum Band」と題する、Ｌｕｏらによる米国仮特許出願第６１／９０８，５３４号の優先権を主張する。
【０００２】
[0002]本開示は、たとえば、ワイヤレス通信に関し、より詳細には、無認可無線周波数スペクトル帯域における協調マルチポイント（ＣｏＭＰ：coordinated multi-point）通信のための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００４】
[0004]ワイヤレス通信ネットワークはいくつかのアクセスポイントを含み得る。セルラーネットワークのアクセスポイントは、ノードＢ（ＮＢ）または発展型ノードＢ（ｅＮＢ）など、いくつかの基地局を含み得る。ワイヤレスローカルエリアネットワーク（ＷＬＡＮ）のアクセスポイントは、Ｗｉ−Ｆｉ（登録商標）ノードなど、いくつかのＷＬＡＮアクセスポイントを含み得る。各アクセスポイントは、いくつかのユーザ機器（ＵＥ）のための通信をサポートし得、しばしば、同時に複数のＵＥと通信し得る。同様に、各ＵＥは、いくつかのアクセスポイントと通信し得、時々、複数のアクセスポイントおよび／または異なるアクセス技術を採用するアクセスポイントと通信し得る。アクセスポイントは、ダウンリンクおよびアップリンクを介してＵＥと通信し得る。ダウンリンク（または順方向リンク）はアクセスポイントからＵＥへの通信リンクを指し、アップリンク（または逆方向リンク）はＵＥからアクセスポイントへの通信リンクを指す。
【０００５】
[0005]いくつかの展開では、ワイヤレス通信は、２つ以上の基地局がＵＥにデータを送信し得る協調マルチポイント（ＣｏＭＰ）ダウンリンク送信を採用し得る。そのようなＣｏＭＰ送信は、異なる基地局が異なる時間にデータをＵＥに送信する動的ポイント選択（ＤＰＳ：dynamic point selection）と、２つ以上の基地局がデータをＵＥに同時に送信するジョイント送信（ＪＴ：joint transmission）とを含むいくつかのＣｏＭＰ方式のうちの１つまたは複数を使用し得る。
【０００６】
[0006]セルラーネットワークがより頻繁に利用されるようになるにつれて、事業者は、容量を増加させる方法を求めている。１つの手法は、セルラーネットワークのトラフィックおよび／またはシグナリングのいくつかをオフロードするためのＷＬＡＮの使用を含み得る。認可無線周波数スペクトル帯域中で動作するセルラーネットワークとは異なり、Ｗｉ−Ｆｉネットワークは、概して無認可無線周波数スペクトル帯域中で動作し、したがって、スペクトルへの公平なアクセスを提供するための確立されたルールに従う様々なエンティティが使用するために利用可能であるので、（Ｗｉ−Ｆｉネットワークなどの）ＷＬＡＮは魅力的な特徴を提供し得る。しかしながら、無認可無線周波数スペクトル帯域へのアクセスは、無認可無線周波数スペクトル帯域にアクセスするための同じまたは異なる技法を使用する基地局が、スペクトルアクセスのための確立されたルールにも準拠しながら、共存し、無認可無線周波数スペクトル帯域の有効使用を行うことができることを保証するために協調（coordination）を必要とし得る。
【発明の概要】
【０００７】
[0007]本開示は、たとえば、ワイヤレス通信のための１つまたは複数の改善されたシステム、方法、および／またはデバイスに関し、より詳細には、無認可無線周波数スペクトル帯域にアクセスするときのダウンリンク協調マルチポイント（ＣｏＭＰ）送信に関する。いくつかの態様によれば、基地局は、無認可無線周波数スペクトル帯域にアクセスするためのクリアチャネルアセスメント（ＣＣＡ：clear channel assessment）手順などの競合手順を実施し得る。基地局は、ある時間期間についての競合に勝ったかどうかを示すＣＣＡ状態を決定し得、ＣＣＡ状態をＣｏＭＰ協調セット内の他の基地局に通信し得る。ＣｏＭＰ協調セット内の基地局間で交換されたＣＣＡ状態に基づいて、時間期間についての競合に勝ったＣｏＭＰ協調セット内の他の基地局のうちの１つまたは複数との協調通信が、ＵＥに対して開始され得る。たとえば、基地局間で交換されるＣＣＡ状態は、たとえば、基地局が無認可無線周波数スペクトル帯域内のチャネルについての競合に勝ったかどうかと、チャネル状態情報（ＣＳＩ：channel state information）とを含み得る。ＣＳＩは、たとえば、ＣｏＭＰ協調セット内の１つまたは複数の他の基地局によって使用するためのランクインジケータ（ＲＩ：rank indicator）を含み得る。
【０００８】
[0008]例示的な例の第１のセットによれば、ワイヤレス通信ネットワーク内の基地局のＣｏＭＰ協調セットのうちの基地局によるワイヤレス通信のための方法は、無認可無線周波数スペクトル帯域へのアクセスについて競合するためにクリアチャネルアセスメント（ＣＣＡ）手順を実施することと、ある時間期間についての競合に勝ったかどうかを示すＣＣＡ状態を決定することと、ＣＣＡ状態をＣｏＭＰ協調セット内の１つまたは複数の他の基地局に通信することとを含み得る。いくつかの例では、方法は、時間期間についての競合に勝っているＣＣＡ状態を有するＣｏＭＰ協調セット内の１つまたは複数の基地局を使用してユーザ機器（ＵＥ）とのＣｏＭＰ通信を開始することをさらに含み得る。
【０００９】
[0009]いくつかの例では、本方法はまた、１つまたは複数の他の基地局が時間期間についての競合に勝ったかどうかを示す１つまたは複数の他の基地局の１つまたは複数のＣＣＡ状態を受信することを含み得る。時間期間は、たとえば、複数のサブフレームを備える無線フレームを送信するための時間期間に対応し得、通信および受信は、無線フレームのＣＣＡ状態通知時間期間中に実施され得る。いくつかの例では、ＣｏＭＰ通信を開始することは、無線フレームのＣＣＡ状態通知時間期間後に実施され得る。いくつかの例では、ＣＣＡ状態通知時間期間は、ＣＣＡ手順の性質に少なくとも部分的に基づいて決定され得る。
【００１０】
[0010]いくつかの例では、ＣｏＭＰ通信を開始することは、１つまたは複数の基地局のうちの基地局によって制御チャネルをＵＥに送信することと、１つまたは複数の基地局のうちの残りの基地局によって１つまたは複数のデータチャネルをＵＥに送信することとを含み得る。追加または代替として、ＣｏＭＰ通信を開始することは、時間期間の少なくとも一部の間に基地局からユーザ機器（ＵＥ）への動的ポイント選択（ＤＰＳ）通信を開始することと、１つまたは複数の基地局のうちの１つがＵＥとのＤＰＳ通信を実施している間、基地局からのＤＰＳ通信を中止することとを含み得る。時間期間またはその一部は、たとえば、無線フレームのＣＣＡ状態通知時間期間に対応し得、基地局からのＤＰＳ通信を中止することは、ＵＥへのワイヤレス送信を中止すること、および／または送信帯域幅しきい値を維持するために１つもしくは複数の他のＵＥに送信することを含み得る。いくつかの例では、時間期間の一部は、第１の無線フレームの時間期間に対応し得、基地局からのＤＰＳ通信を中止することは、第２の無線フレーム中にＵＥへの送信を中止することを含み得る。
【００１１】
[0011]いくつかの例では、本方法はまた、チャネル状態情報（ＣＳＩ）報告を基地局からＣｏＭＰ協調セット内の１つまたは複数の他の基地局に転送することを含み得る。ＣＳＩ報告は、たとえば、ＣｏＭＰ協調セット内の１つまたは複数の他の基地局によって使用するためのランクインジケータ（ＲＩ）を含み得る。そのようなＲＩは、基地局の後続のＣＣＡ手順が失敗し、１つまたは複数の他の基地局が後続のＣＣＡ手順の競合に勝つときに、ＣｏＭＰ協調セット内の１つまたは複数の基地局によって使用するためのものであり得る。いくつかの例では、本方法はまた、基地局の後続のＣＣＡ手順が失敗し、１つまたは複数の他の基地局が後続のＣＣＡ手順の競合に勝つときに、１つまたは複数の他の基地局によって使用するための基準ＲＩを、基地局からＣｏＭＰ協調セット内の１つまたは複数の他の基地局に転送することを含み得る。
【００１２】
[0012]例示的な例の別のセットによれば、ワイヤレス通信ネットワーク内の基地局のＣｏＭＰ協調セットのうちの基地局によるワイヤレス通信のための装置は、無認可無線周波数スペクトル帯域へのアクセスについて競合するためにクリアチャネルアセスメント（ＣＣＡ）手順を実施するための手段と、ある時間期間についての競合に勝ったかどうかを示すＣＣＡ状態を決定するための手段と、ＣＣＡ状態をＣｏＭＰ協調セット内の１つまたは複数の他の基地局に通信するための手段とを含み得る。
【００１３】
[0013]いくつかの例では、本装置は、上記で説明した例示的な例の第１のセットの１つまたは複数の態様を実装するための手段を含み得る。
【００１４】
[0014]例示的な例の別のセットによれば、ワイヤレス通信ネットワーク内の基地局のＣｏＭＰ協調セットのうちの基地局によるワイヤレス通信のための装置は、プロセッサと、プロセッサと電子通信するメモリと、メモリ内に記憶された命令とを含み得、命令は、無認可無線周波数スペクトル帯域へのアクセスについて競合するためにＣＣＡ手順を実施することと、ある時間期間についての競合に勝ったかどうかを示すＣＣＡ状態を決定することと、ＣＣＡ状態をＣｏＭＰ協調セット内の１つまたは複数の他の基地局に通信することとを装置に実行させるようにプロセッサによって実行可能である。
【００１５】
[0015]いくつかの例では、プロセッサは、上記で説明した例示的な例の第１のセットの１つまたは複数の態様を実装するためのメモリに記憶された命令を実行するように構成され得る。
【００１６】
[0016]例示的な例の別のセットによれば、ワイヤレス通信ネットワーク内の基地局のＣｏＭＰ協調セットのうちの基地局によるワイヤレス通信のためのコンピュータ実行可能コードを記憶した非一時的コンピュータ可読媒体であって、コードは、無認可無線周波数スペクトル帯域へのアクセスについて競合するためにＣＣＡ手順を実行し、ある時間期間についての競合に勝ったかどうかを示すＣＣＡ状態を決定し、ＣＣＡ状態をＣｏＭＰ協調セット内の１つまたは複数の他の基地局に通信するようにプロセッサによって実行可能である。
【００１７】
[0017]いくつかの例では、コードは、上記で説明した例示的な例の第１のセットの１つまたは複数の態様を実装するためにプロセッサによって実行可能であり得る。
【００１８】
[0018]例示的な例のさらなるセットによれば、ワイヤレス通信ネットワーク内のユーザ機器によるワイヤレス通信のための方法は、無認可無線周波数スペクトル帯域へのアクセスについてのＣＣＡ手順に少なくとも部分的に基づいて、ＣｏＭＰ協調セット内の１つまたは複数の基地局が時間期間についての競合に勝ったかどうかを決定することと、競合に勝ったＣｏＭＰ協調セット内の１つまたは複数の基地局からＣｏＭＰ通信を受信することとを含み得る。
【００１９】
[0019]例示的な例の別のセットによれば、ワイヤレス通信ネットワーク内のユーザ機器によるワイヤレス通信のための装置は、無認可無線周波数スペクトル帯域へのアクセスについてのＣＣＡ手順に少なくとも部分的に基づいて、ＣｏＭＰ協調セット内の１つまたは複数の基地局が時間期間についての競合に勝ったかどうかを決定するための手段と、競合に勝ったＣｏＭＰ協調セット内の１つまたは複数の基地局からＣｏＭＰ通信を受信するための手段とを含み得る。
【００２０】
[0020]例示的な例のさらに別のセットによれば、ワイヤレス通信ネットワーク内のユーザ機器によるワイヤレス通信のための装置は、プロセッサと、プロセッサと電子通信するメモリと、メモリ内に記憶された命令とを含み得、命令は、無認可無線周波数スペクトル帯域へのアクセスについてのクリアチャネルアセスメント（ＣＣＡ）手順に少なくとも部分的に基づいて、ＣｏＭＰ協調セット内の１つまたは複数の基地局が時間期間についての競合に勝ったかどうかを決定することと、競合に勝ったＣｏＭＰ協調セット内の１つまたは複数の基地局からＣｏＭＰ通信を受信することとを装置に実行させるようにプロセッサによって実行可能である。
【００２１】
[0021]例示的な例のさらに別のセットによれば、ワイヤレス通信ネットワークにおけるワイヤレス通信のためのコンピュータ実行可能コードを記憶した非一時的コンピュータ可読媒体であって、コードは、無認可無線周波数スペクトル帯域へのアクセスについてのＣＣＡ手順に少なくとも部分的に基づいて、ＣｏＭＰ協調セット内の１つまたは複数の基地局が時間期間についての競合に勝ったかどうかを決定し、競合に勝ったＣｏＭＰ協調セット内の１つまたは複数の基地局からＣｏＭＰ通信を受信するようにプロセッサによって実行可能である。
【００２２】
[0022]説明する方法および装置の適用可能性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００２３】
[0023]以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、同様の構成要素の間を区別する第２のラベルとを続けることによって区別され得る。本明細書において第１の参照ラベルのみが使用される場合、説明は、第２の参照ラベルにかかわらず、同一の第１の参照ラベルを有する同様の構成要素のうちの任意の１つに適用可能である。
【図面の簡単な説明】
【００２４】
【図１】[0024]本開示の態様による、ワイヤレス通信システムの一例を概念的に示すブロック図。
【図２】[0025]本開示の態様による、無認可無線周波数スペクトル帯域におけるＬＴＥ（登録商標）を使用するための展開シナリオの例を概念的に示すブロック図。
【図３】[0026]本開示の態様による、ＣｏＭＰ協調セット内の基地局の一例を概念的に示すブロック図。
【図４Ａ】[0027]本開示の態様による、ＣｏＭＰ協調セット内の異なるｅＮＢが連続する競合期間において無線周波数スペクトル帯域についての競合に勝つ連続する競合期間におけるＣｏＭＰ協調セット内のｅＮＢの一例を概念的に示すブロック図。
【図４Ｂ】本開示の態様による、ＣｏＭＰ協調セット内の異なるｅＮＢが連続する競合期間において無線周波数スペクトル帯域についての競合に勝つ連続する競合期間におけるＣｏＭＰ協調セット内のｅＮＢの一例を概念的に示すブロック図。
【図５】[0028]本開示の態様による、競合ベースの無線周波数スペクトル帯域におけるＣｏＭＰ通信の方法の一例を概念的に示すフローチャート。
【図６】[0029]本開示の態様による、動的ポイント選択ＣｏＭＰ方式において異なる基地局によって送信された無線サブフレームおよび関連するリソースブロックの一例を概念的に示すブロック図。
【図７】[0030]本開示の態様による、ジョイント送信ＣｏＭＰ方式において異なる基地局によって送信された無線サブフレームおよび関連するリソースブロックの一例を概念的に示すブロック図。
【図８】[0031]本開示の態様による、ＣｏＭＰ協調セット内の基準セルおよび従属セルのための基準ＣＳＩプロセスと従属ＣＳＩプロセスとを概念的に示す図。
【図９Ａ】[0032]本開示の態様による、ワイヤレス通信において使用するための、ｅＮＢまたはＵＥなどのデバイスを概念的に示すブロック図。
【図９Ｂ】本開示の態様による、ワイヤレス通信において使用するための、ｅＮＢまたはＵＥなどのデバイスを概念的に示すブロック図。
【図１０】[0033]本開示の態様による、ＵＥの設計を概念的に示すブロック図。
【図１１】[0034]本開示の態様による、基地局の設計を概念的に示すブロック図。
【図１２】[0035]本開示の態様による、ＵＥおよび基地局の一例を概念的に示すブロック図。
【図１３】[0036]本開示の態様による、ワイヤレス通信の方法の一例を概念的に示すフローチャート。
【図１４】[0037]本開示の態様による、ワイヤレス通信の方法の一例を概念的に示すフローチャート。
【図１５】[0038]本開示の態様による、ワイヤレス通信の方法の一例を概念的に示すフローチャート。
【図１６】[0039]本開示の態様による、ワイヤレス通信の方法の一例を概念的に示すフローチャート。
【発明を実施するための形態】
【００２５】
[0040]セルラー通信（たとえば、ロングタームエボリューション（ＬＴＥ（登録商標））通信）のために無認可無線周波数スペクトル帯域が使用され得る技法について説明する。無認可無線周波数スペクトル帯域にわたるＬＴＥ通信は、本明細書では、無認可無線周波数スペクトル帯域における拡張ＬＴＥ通信と呼ばれ得る。認可無線周波数スペクトル帯域にわたるＬＴＥ通信は、本明細書では、ＬＴＥ通信と呼ばれ得る。
【００２６】
[0041]セルラーネットワークにおけるデータトラフィックの増加に伴い、少なくともいくつかのデータトラフィックを無認可無線周波数スペクトル帯域にオフロードすることにより、拡張されたデータ伝送容量の機会がセルラー事業者に提供され得る。チャネルアクセスを獲得し、無認可無線周波数スペクトル帯域を使用して送信するより前に、送信デバイスは、いくつかの展開では、チャネルアクセスを獲得するためにリッスンビフォアトーク（ＬＢＴ：listen before talk）手順を実施し得る。そのようなＬＢＴ手順は、無線周波数スペクトル帯域が別のノードまたはデバイスによって現在利用されていないことを検証するために、無線周波数スペクトル帯域への競合ベースのアクセスにおいて使用され得、特定のチャネルが利用可能であるかどうかを決定するためにクリアチャネルアセスメント（ＣＣＡ）を含み得る。チャネルが利用可能でないと決定された場合、ＣＣＡは後で再び実施され得る。さらに、無認可無線周波数スペクトル帯域の使用は、無認可無線周波数スペクトル帯域にアクセスするための同じまたは異なる技法を使用する、同じまたは異なる事業者展開のアクセスポイントが、無認可無線周波数スペクトル帯域内で共存し得ることを保証するために協調を必要とし得る。
【００２７】
[0042]場合によっては、共存は、無認可無線周波数スペクトル帯域にアクセスすることを希望する異なる事業者展開の異なるデバイスまたはノードによって実施されるＣＣＡの協調によって可能にされ得る。ＣＣＡ協調方法のいくつかでは、ＣＣＡは、無認可無線周波数スペクトル帯域にアクセスすることを望み得る事業者展開の複数のデバイスまたはノード間で所定の時間期間中に行われるように協調され得る。たとえば、複数の協調される基地局が無認可無線周波数スペクトル帯域においてチャネルアクセスのためにＣＣＡをその間に実施し得る時間期間が識別され得る。そのような協調は、ノードまたはデバイスがアクセスを求め（seek access）、無線周波数信号を同期方式で送信する同期システムを生じる。
【００２８】
[0043]協調マルチポイント（ＣｏＭＰ）送信では、上記で説明したように、２つ以上の基地局がデータをＵＥに送信し得る。そのようなＣｏＭＰ送信は、異なる基地局が異なる時間にデータをＵＥに送信する（たとえば、各異なる基地局が、ある時間期間中に送信するための１つまたは複数の時間スロットを割り当てられ得る）動的ポイント選択（ＤＰＳ）と、２つ以上の基地局がデータをＵＥに同時に送信するジョイント送信（ＪＴ）とを含むいくつかのＣｏＭＰ送信方式のうちの１つまたは複数を使用し得る。しかしながら、ＣｏＭＰが競合ベースの無線周波数スペクトル帯域を使用してデバイスに使用されることが所望され得る場合、２つ以上の基地局のうちのどれが競合に勝ち、無線周波数スペクトル帯域を使用して送信するためにアクセスを獲得し得るのかに関係する不確実性が存在し得る。本開示は、競合ベースの無線周波数スペクトル帯域においてＣｏＭＰ送信を採用するための様々な技法を提供する。
【００２９】
[0044]本開示の様々な態様によれば、基地局のＣｏＭＰ協調セットのうちのある基地局による通信は、いくつかの基地局のうちのどれが無線周波数スペクトル帯域におけるチャネルにアクセスするための競合に勝ったのかを確立するために、協調ＣＣＡ手順に続いて、１つまたは複数の他の基地局と通信し得る。ＣｏＭＰ送信は、次いで、競合に勝った基地局間で協調され得る。たとえば、基地局は、無認可無線周波数スペクトル帯域へのアクセスについてのＣＣＡ手順を実施し得る。基地局は、ある時間期間についての競合に勝ったかどうかを示すＣＣＡ状態を決定し得、ＣＣＡ状態をＣｏＭＰ協調セット内の他の基地局に通信し得る。ＣｏＭＰ協調セット内の基地局間で交換されたＣＣＡ状態に基づいて、時間期間についての競合に勝ったＣｏＭＰ協調セット内の基地局のうちの２つ以上との協調通信が、ＵＥに対して開始され得る。基地局間で交換されるＣＣＡ状態は、たとえば、基地局が無認可無線周波数スペクトル帯域内のチャネルについての競合に勝ったかどうかと、チャネル状態情報（ＣＳＩ）とを含み得る。ＣＳＩは、たとえば、ＣｏＭＰ協調セット内の１つまたは複数の他の基地局によって使用するためのランクインジケータ（ＲＩ）を含み得る。
【００３０】
[0045]本明細書で説明する技法は、ＣＤＭＡ、ＴＤＭＡ、ＦＤＭＡ、ＯＦＤＭＡ、ＳＣ−ＦＤＭＡ、および他のシステムなど、様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術に使用され得る。ただし、以下の説明では、例としてＬＴＥシステムについて説明し、以下の説明の大部分においてＬＴＥ用語が使用されるが、本技法はＬＴＥ適用例以外に適用可能である。
【００３１】
[0046]したがって、以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な例は、適宜に様々な手順または構成要素を省略、置換、または追加し得る。たとえば、説明する方法は、説明する順序とは異なる順序で実施され得、様々なステップが追加、省略、または組み合わせられ得る。また、いくつかの例に関して説明する特徴は、他の例において組み合わせられ得る。
【００３２】
[0047]本明細書および添付の特許請求の範囲において使用される「ワイヤレスワイドエリアネットワーク」または「ＷＷＡＮ」という用語は、セルラーワイヤレスネットワークを指す。ＷＷＡＮの例としては、たとえば、ＬＴＥネットワーク、ＵＭＴＳネットワーク、ＣＤＭＡ２０００ネットワーク、ＧＳＭ／ＥＤＧＥネットワーク、１ｘ／ＥＶ−ＤＯネットワークなどがある。いくつかの例では、ＷＷＡＮは「無線アクセスネットワーク」と呼ばれることがある。
【００３３】
[0048]本明細書および添付の特許請求の範囲において使用される「ワイヤレスローカルエリアネットワーク」または「ＷＬＡＮ」という用語は、非セルラーワイヤレスネットワークを指す。ＷＬＡＮの例としては、たとえば、確立された動的周波数選択（ＤＦＳ）ルールに従って５ＧＨｚ帯域中の無認可無線周波数スペクトル帯域を使用して送信し得るＩＥＥＥ８０２．１１（「Ｗｉ−Ｆｉ」）規格ファミリーに準拠するワイヤレスネットワークがある。
【００３４】
[0049]図１は、本開示の態様による、ワイヤレス通信システム１００の一例を概念的に示すブロック図を示す。ワイヤレス通信システム１００は、複数の基地局（たとえば、アクセスポイント、ｅＮＢ、またはＷＬＡＮアクセスポイント）１０５と、いくつかのユーザ機器（ＵＥ）１１５と、コアネットワーク１３０とを含む。基地局１０５のうちのいくつかは、様々な例ではコアネットワーク１３０またはいくつかの基地局１０５（たとえば、アクセスポイントまたはｅＮＢ）の一部であり得る、基地局コントローラ（図示せず）の制御下でＵＥ１１５と通信し得る。基地局１０５は、バックホールリンク１３２を介してコアネットワーク１３０と制御情報および／またはユーザデータを通信し得る。例では、基地局１０５は、ワイヤードまたはワイヤレス通信リンクのいずれかであり得るバックホールリンク１３４を介して互いに直接あるいは間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００３５】
[0050]基地局１０５は、１つまたは複数の基地局アンテナを介して、ＵＥ１１５とワイヤレス通信し得る。基地局１０５サイトの各々は、それぞれのカバレージエリア１１０に通信カバレージを与え得る。いくつかの例では、基地局１０５は、トランシーバ基地局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割され得る（図示せず）。ワイヤレス通信システム１００は、異なるタイプの基地局１０５（たとえば、マクロ基地局、マイクロ基地局、および／またはピコ基地局）を含み得る。基地局１０５はまた、セルラーおよび／またはＷＬＡＮ無線アクセス技術などの異なる無線技術を利用し得る。基地局１０５は同じまたは異なるアクセスネットワークまたは事業者展開に関連付けられ得る。同じもしくは異なるタイプの基地局１０５のカバレージエリアを含み、同じもしくは異なる無線技術を利用し、および／または同じもしくは異なるアクセスネットワークに属する、異なる基地局１０５のカバレージエリアは、重複し得る。
【００３６】
[0051]例では、ワイヤレス通信システム１００は、動作または展開シナリオの競合ベースの無線周波数スペクトル帯域モードにおいて１つまたは複数のＬＴＥをサポートするＬＴＥ／ＬＴＥ−Ａ通信システム（またはネットワーク）であり、いくつかの例によれば、ＣＣＡ協調マネージャ１４０によって管理され得る、基地局１０５およびＵＥ１１５の間で協調された競合ベースのチャネルアクセス手順を採用し得る。例では、ワイヤレス通信システム１００は、無認可無線周波数スペクトル帯域およびアクセス技術を使用して、または認可無線周波数スペクトル帯域およびＬＴＥ／ＬＴＥ−Ａとは異なるアクセス技術を使用してワイヤレス通信をサポートし得る。ＬＴＥ／ＬＴＥ−Ａネットワーク通信システムにおいて、発展型ノードＢ（ｅＮＢ）という用語は、たとえば、基地局１０５について説明するために使用され得る。ワイヤレス通信システム１００は、異なるタイプの基地局が様々な地理的領域にカバレージを与える、異種ＬＴＥ／ＬＴＥ−Ａネットワークであり得る。たとえば、各基地局１０５は、マクロセル、ピコセル、フェムトセル、および／または他のタイプのセルに通信カバレージを与え得る。ピコセル、フェムトセル、および／または他のタイプのセルなどのスモールセルは、低電力ノードすなわちＬＰＮを含み得る。マクロセルは、たとえば、比較的大きい地理的エリア（たとえば、半径数キロメートル）をカバーし、ネットワークプロバイダのサービスに加入しているＵＥ１１５による無制限アクセスを可能にし得る。ピコセルは、たとえば、比較的小さい地理的エリアをカバーすることになり、ネットワークプロバイダのサービスに加入しているＵＥ１１５による無制限アクセスを可能にし得る。また、フェムトセルは、たとえば、比較的小さい地理的エリア（たとえば、自宅）をカバーすることになり、無制限アクセスに加えて、フェムトセルとの関連を有するＵＥ１１５（たとえば、限定加入者グループ（ＣＳＧ）中のＵＥ、自宅内のユーザのためのＵＥなど）による制限付きアクセスも与え得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００３７】
[0052]コアネットワーク１３０は、バックホール１３２（たとえば、Ｓ１インターフェースなど）を介してｅＮＢまたは他の基地局１０５と通信し得る。基地局１０５はまた、たとえば、バックホールリンク１３４（たとえば、Ｘ２インターフェースなど）を介しておよび／またはバックホールリンク１３２を介して（たとえば、コアネットワーク１３０を通して）直接または間接的に、互いに通信し得る。ワイヤレス通信システム１００は同期動作または非同期動作をサポートし得る。同期動作の場合、ｅＮＢは同様のフレームタイミングを有し得、異なるｅＮＢからの送信は時間的にほぼ整合され得る。非同期動作の場合、ｅＮＢは異なるフレームタイミングを有し得、異なるｅＮＢからの送信は時間的に整合されないことがある。本明細書で説明する技法は、同期動作または非同期動作のいずれかのために使用され得る。
【００３８】
[0053]ＵＥ１１５はワイヤレス通信システム１００全体にわたって分散され、各ＵＥ１１５は固定またはモバイルであり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮアクセスネットワークなど、異なるアクセスネットワーク上で通信することが可能であり得る。
【００３９】
[0054]ワイヤレス通信システム１００に示された通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。ダウンリンク送信は、認可無線周波数スペクトル帯域、無認可無線周波数スペクトル帯域、または両方を使用して行われ得る。同様に、アップリンク送信は、認可無線周波数スペクトル帯域、無認可無線周波数スペクトル帯域、または両方を使用して行われ得る。
【００４０】
[0055]ＵＥ１１５は、たとえば、多入力多出力（ＭＩＭＯ：Multiple Input Multiple Output）、協調マルチポイント（ＣｏＭＰ）、または他の方式を介して複数の基地局１０５と協調的に（collaboratively）通信するように構成され得る。ＭＩＭＯ技法は、複数のデータストリームを送信するためにマルチパス環境を利用するために基地局上の複数のアンテナおよび／またはＵＥ上の複数のアンテナを使用する。ＣｏＭＰは、上述のように、ネットワークおよびスペクトルの利用を増加させると共にＵＥのための全体的な送信品質を改善するために、いくつかの基地局による送信および受信の協調のための技法を含み得る。ＣｏＭＰ技法は、ＵＥ１１５のための制御プレーン通信およびユーザプレーン通信を協調させるために基地局１０５間の通信のためのバックホールリンク１３２および／または１３４を利用し得る。ＣｏＭＰのための協調エリアは、たとえば、イントラｅＮＢ  ＣｏＭＰまたはインターｅＮＢ  ＣｏＭＰを利用する均一な展開を含み得る。本明細書で説明する様々な例では、ＣｏＭＰ協調エリア内の基地局１０５は、ＣｏＭＰ協調セットと呼ばれ得る。
【００４１】
[0056]上述のように、様々な展開は、ＣｏＭＰのための無認可無線周波数スペクトル帯域を使用し得る。そのようなＣｏＭＰ送信は、異なる基地局が異なる時間にデータをＵＥに送信する動的ポイント選択（ＤＰＳ）と、２つ以上の基地局がデータをＵＥに同時に送信するジョイント送信（ＪＴ）とを含むいくつかのＣｏＭＰ方式のうちの１つまたは複数を使用し得る。様々な態様によれば、ＣｏＭＰ協調セット内の第１の基地局１０５は、ＣｏＭＰ協調セットのどの基地局１０５が無認可無線周波数スペクトル帯域内のチャネルアクセスについての競合に勝ったかを決定するためにＣＣＡ手順に続いて、協調セットの１つまたは複数の他の基地局１０５と通信し得る。ＣｏＭＰ送信は、次いで、以下でより詳細に説明するように、競合に勝った基地局１０５間で協調され得る。
【００４２】
[0057]ワイヤレス通信システム１００のいくつかの例では、競合ベースの無線周波数スペクトル帯域におけるＬＴＥのための様々な展開モードは、認可無線周波数スペクトル帯域におけるＬＴＥダウンリンク容量が無認可無線周波数スペクトル帯域にオフロードされ得る補助ダウンリンクモードと、ＬＴＥダウンリンク容量とＬＴＥアップリンク容量の両方が認可無線周波数スペクトル帯域から無認可無線周波数スペクトル帯域にオフロードされ得るキャリアアグリゲーションモードと、基地局（たとえば、ｅＮＢ）とＵＥとの間のＬＴＥダウンリンク通信およびＬＴＥアップリンク通信が無認可無線周波数スペクトル帯域中で行われ得るスタンドアロンモードとを含んでサポートされ得る。異なるモードの各々は、周波数分割複信（ＦＤＤ）または時分割複信（ＴＤＤ）に従って動作し得る。ＯＦＤＭＡ通信信号は、無認可無線周波数スペクトル帯域および／または認可無線周波数スペクトル帯域中のＬＴＥダウンリンク送信のために通信リンク１２５中で使用され得、ＳＣ−ＦＤＭＡ通信信号は、無認可無線周波数スペクトル帯域および／または認可無線周波数スペクトル帯域中のＬＴＥアップリンク送信のために通信リンク１２５中で使用され得る。無認可無線周波数スペクトル帯域を使用する送信は、周波数帯域における１つまたは複数のキャリア周波数を使用して搬送され得る。周波数帯域は、たとえば、複数のキャリア周波数に分割され得、各キャリア周波数は同じ帯域幅または異なる帯域幅を有し得る。たとえば、各キャリア周波数は、５ＧＨｚ周波数帯域のうちの２０ＭＨｚを占有し得る。
【００４３】
[0058]いくつかの展開では、上述のように、無認可無線周波数スペクトル帯域にアクセスすることを求めるデバイスは、無認可無線周波数スペクトル帯域が利用可能であること、すなわち、無認可無線周波数スペクトル帯域が１つまたは複数の他のデバイスによってすでに使用中ではないことを検証する必要があり得る。したがって、無認可無線周波数スペクトル帯域にアクセスするより前に、デバイスは、チャネルアクセスを獲得するために、リッスンビフォアトーク（ＬＢＴ）手順とも呼ばれる競合ベースのチャネルアクセス手順を実施し得る。たとえば、ＣＣＡ手順は、無認可無線周波数スペクトル帯域の利用可能性を決定するために使用され得る。ＣＣＡ手順の実行は、無認可無線周波数スペクトル帯域が、アクセスを開始することより前に特に占有されていないことを検査することを含み得る。いくつかの例では、ＣＣＡ機会は、複数の基地局１０５にわたって協調され、１０ミリ秒（ｍｓ）ごとになど、周期的間隔で行われ得る。基地局１０５などの送信エンティティは、チャネルアクセスを望み、無認可無線周波数スペクトル帯域における特定のキャリア周波数が占有されているかどうかを決定するためにＣＣＡ手順を実施し得る。無認可無線周波数スペクトル帯域における特定のキャリア周波数が占有されている場合、基地局１０５は、関連するキャリア周波数上でチャネルにアクセスすることを再び試みる前に次のＣＣＡ機会まで待つ。ＣＣＡ機会を１０ｍｓごとに１回提供する展開では、基地局１０５は、チャネルにアクセスすることを試みる前に１０ｍｓ待つ必要があろう。同様に、ＵＥ１１５は、無認可無線周波数スペクトル帯域を使用してアップリンクデータを基地局１０５に送信することを望み、同様にしてＣＣＡ手順を実施し得る。いくつかの例では、拡張ＣＣＡ（ｅＣＣＡ）手順は、無認可無線周波数スペクトル帯域の利用可能性を決定するために使用され得る。基地局が無線フレームごとに１つのＣＣＡ手順を実施するフレームベースの機器のために構成されたＬＢＴプロトコル（ＬＢＴ−ＦＢＥ）とは対照的に、ｅＣＣＡ手順は、ランダムな数のＮ回のＣＣＡ手順の実施を伴い得る。負荷ベースの機器のために構成されたＬＢＴプロトコル（ＬＢＴ−ＬＢＥ）に関連して実施されるｅＣＣＡ手順は、（たとえば、ＬＢＴ−ＦＢＥプロトコルに関連して実施される単一のＣＣＡ手順と比較して）無認可無線周波数スペクトル帯域へのアクセスを獲得するより良い機会を基地局またはＵＥに提供し得る。
【００４４】
[0059]いくつかの例では、上述のように、ＣｏＭＰ協調セット内の基地局１０５の各々は、無線周波数スペクトル帯域（たとえば、無認可無線周波数スペクトル帯域）へのアクセスについての競合ベースの手順においてあらかじめ定義された時間においてＣＣＡ手順を実施し得る。第１のＣＣＡ手順中に無線周波数スペクトル帯域チャネルを獲得しない基地局１０５は、次いで、次の協調されたＣＣＡ機会について、定義された時間期間待つ。無線周波数スペクトル帯域チャネルを獲得する基地局１０５は、次いで、無線周波数スペクトル帯域を使用して無線信号を送信し得る。
【００４５】
[0060]図２は、本開示の態様による、無認可無線周波数スペクトル帯域におけるＬＴＥを使用するための展開シナリオの例を概念的に示すブロック図である。ワイヤレス通信システム２００は、競合ベースの無線周波数スペクトル帯域におけるＬＴＥをサポートするＬＴＥネットワークにおけるｅＮＢ２０５とＵＥ２１５との間のための、補助ダウンリンクモードと、キャリアアグリゲーションモードと、スタンドアロンモードとの例を示している。ワイヤレス通信システム２００は、図１に関して説明したワイヤレス通信システム１００の部分の一例であり得る。その上、ｅＮＢ２０５は、図１の基地局１０５のうちの１つの一例であり得、ＵＥ２１５は、図１に関して説明したＵＥ１１５の例であり得る。
【００４６】
[0061]ワイヤレス通信システム２００における補助ダウンリンク（ＳＤＬ）モードの例では、ｅＮＢ２０５は、ダウンリンク２２０を使用してＯＦＤＭＡ通信信号をＵＥ２１５に送信し得る。図２の例では、ダウンリンク２２０は、無認可無線周波数スペクトル帯域中の周波数に関連付けられ得る。ｅＮＢ２０５は、双方向リンク２２５を使用してＯＦＤＭＡ通信信号を同じＵＥ２１５に送信し得、双方向リンク２２５を使用してＳＣ−ＦＤＭＡ通信信号をそのＵＥ２１５から受信し得る。双方向リンク２２５は、認可無線周波数スペクトル帯域中の周波数に関連付けられ得る。無認可無線周波数スペクトル帯域中のダウンリンク２２０および認可無線周波数スペクトル帯域中の双方向リンク２２５は、同時に動作し得る。ダウンリンク２２０は、ダウンリンク容量のオフロードをｅＮＢ２０５に提供し得る。いくつかの例では、ダウンリンク２２０は、（たとえば、１つのＵＥに宛てられた）ユニキャストサービスのために、または（たとえば、いくつかのＵＥに宛てられた）マルチキャストサービスのために使用され得る。このシナリオは、認可無線周波数スペクトル帯域を使用しトラフィックおよび／またはシグナリング輻輳の一部を軽減する必要がある、任意のサービスプロバイダ（たとえば、従来のモバイルネットワーク事業者すなわちＭＮＯ）に対して生じ得る。
【００４７】
[0062]ワイヤレス通信システム２００におけるキャリアアグリゲーション（ＣＡ）モードの一例では、ｅＮＢ２０５は、双方向リンク２３０を使用してＯＦＤＭＡ通信信号をＵＥ２１５−ａに送信し得、双方向リンク２３０を使用してＳＣ−ＦＤＭＡ通信信号を同じＵＥ２１５−ａから受信し得る。図２の例では、双方向リンク２３０は無認可無線周波数スペクトル帯域中の周波数に関連付けられ得る。ｅＮＢ２０５はまた、双方向リンク２３５を使用してＯＦＤＭＡ通信信号を同じＵＥ２１５−ａに送信し得、双方向リンク２３５を使用してＳＣ−ＦＤＭＡ通信信号を同じＵＥ２１５−ａから受信し得る。双方向リンク２３５は、認可無線周波数スペクトル帯域中の周波数に関連付けられ得る。双方向リンク２３０は、ダウンリンク容量およびアップリンク容量のオフロードをｅＮＢ２０５に提供し得る。上記で説明した補助ダウンリンクのように、このシナリオは、認可無線周波数スペクトル帯域を使用しトラフィックおよび／またはシグナリング輻輳の一部を軽減する必要がある、任意のサービスプロバイダ（たとえば、ＭＮＯ）に対して生じ得る。双方向リンク２３０は、いくつかの例によれば、ＴＤＤ通信を使用して動作し得る。ｅＮＢ２０５とＵＥ２１５−ａの両方が双方向リンク２３０を使用してデータを送信するとき、各々は、無認可無線周波数スペクトル帯域上で双方向リンク２３０を使用してデータを送信するより前にＬＢＴ手順を実施し得、各々は、無線周波数スペクトル帯域チャネルへのアクセスのために第１のＣＣＡ手順と第２のＣＣＡ手順の両方を実施し得る。
【００４８】
[0063]ワイヤレス通信システム２００におけるスタンドアロン（ＳＡ）モードの一例では、ｅＮＢ２０５は、双方向リンク２４０を使用してＯＦＤＭＡ通信信号をＵＥ２１５−ｂに送信し得、無認可無線周波数スペクトル帯域中の周波数に関連付けられ得る双方向リンク２４０を使用してＳＣ−ＦＤＭＡ通信信号を同じＵＥ２１５−ｂから受信し得る。この例および上記で提供した例は説明のために提示され、容量オフロードのために無認可無線周波数スペクトル帯域においてＬＴＥおよびＬＴＥを組み合わせた他の同様の動作モードまたは展開シナリオが存在し得る。上記で説明したように、無認可無線周波数スペクトル帯域を使用することによって提供される容量オフロードから恩恵を受け得るサービスプロバイダは、認可無線周波数スペクトル帯域を用いる従来のＭＮＯであり得る。これらのサービスプロバイダにとって、運用上の構成は、認可無線周波数スペクトル帯域上のプライマリコンポーネントキャリア（ＰＣＣ）と無認可無線周波数スペクトル帯域上のセカンダリコンポーネントキャリア（ＳＣＣ）とを使用するブートストラップモード（たとえば、補助ダウンリンク、キャリアアグリゲーション）を含み得る。
【００４９】
[0064]ＳＤＬモードでは、無認可無線周波数スペクトル帯域におけるＬＴＥのための制御は、認可無線周波数スペクトル帯域においてＬＴＥアップリンク（たとえば、双方向リンク２２５のアップリンク部分）を介してトランスポートされ得る。ダウンリンク容量オフロードを与える理由の１つは、データ需要が大部分はダウンリンク消費によって引き起こされるからである。その上、このモードでは、ＵＥ２１５が無認可無線周波数スペクトル帯域中で送信していないので、規制上の影響が小さいことがある。
【００５０】
[0065]ＣＡモードでは、データおよび制御は、認可無線周波数スペクトル帯域を使用してＬＴＥ（たとえば、双方向リンク２３５）において通信され得、一方、データは、無認可無線周波数スペクトル帯域を使用して（たとえば、双方向リンク２３０）通信され得る。無認可無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００５１】
[0066]様々な動作モードのいずれかにおいて、通信は、無認可無線周波数スペクトル帯域中の１つまたは複数のキャリア周波数上で送信され得る。様々な例によれば、上述のように、通信はＴＤＤ技法に従って送信され得る。理解されるように、ＴＤＤ通信におけるいくつかのサブフレームはダウンリンクデータを含み得、いくつかのサブフレームはアップリンクデータを含み得る。
【００５２】
[0067]図３は、本開示の態様による、ＣｏＭＰ協調セット内の基地局の一例を概念的に示すブロック図である。この例では、ワイヤレス通信システム３００の一部が示されており、ここでは、複数のｅＮＢ３０５−ａ、３０５−ｂ、および３０５−ｃがそれぞれ重複するカバレージエリア３１０−ａ、３１０−ｂ、および３１０−ｃを有し得る。ワイヤレス通信システム３００は、図１および／または図２に関して説明したワイヤレス通信システム１００および／または２００の一部の一例であり得る。その上、ｅＮＢ３０５は、図１および／または図２の基地局ならびに／またはｅＮＢ１０５および／もしくは２０５のうちの１つの例であり得、ＵＥ３１５は、図１および／または図２に関して説明したＵＥ１１５および／または２１５の例であり得る。この例では、ｅＮＢ３０５の各々は、無認可無線周波数スペクトル帯域においてチャネルを使用してＵＥ３１５と通信し得る。いくつかの展開によれば、ｅＮＢ３０５は、協調され、ｅＮＢ３０５間で協調された競合期間中に各同期フレーム上でチャネルについて競合し得る。
【００５３】
[0068]本開示の様々な態様では、ｅＮＢ３０５（たとえば、ｅＮＢ３０５−ａ、ｅＮＢ３０５−ｂ、およびｅＮＢ３０５−ｃ）は、ＣｏＭＰ協調セットを形成し得、ＵＥ３１５へのＣｏＭＰ送信を実施し得る。たとえば、ＣｏＭＰ協調セットのｅＮＢ３０５は、無認可無線周波数スペクトル帯域にアクセスするために、クリアチャネルアセスメント（ＣＡＡ）手順または拡張ＣＣＡ（ｅＣＣＡ）などの協調競合手順を実施し得る。ＣｏＭＰ協調セットのｅＮＢ３０５の各々は、ある時間期間についての競合に勝ったかどうかを示すＣＣＡ状態を決定し得る。ｅＮＢ３０５は、ＣＣＡ状態を互いに通信し得る（たとえば、ｅＮＢ３０５−ａは、そのＣＣＡ状態をｅＮＢ３０５−ｂおよび／またはｅＮＢ３０５−ｃに通信し得る）。ＣｏＭＰ協調セット内のｅＮＢ３０５間で交換されたＣＣＡ状態に基づいて、時間期間について勝ったＣｏＭＰ協調セット内のｅＮＢ３０５のうちの２つ以上との協調通信が、ＵＥ３１５に対して開始され得る。たとえば、ｅＮＢ３０５−ａおよびｅＮＢ３０５−ｃは、競合に勝ち、無認可無線周波数スペクトル帯域へのアクセスを取得し得、ｅＮＢ３０５−ｂは、競合に勝たない場合があり得、無認可無線周波数スペクトル帯域へのアクセスを持たない。ｅＮＢ３０５−ａおよびｅＮＢ３０５−ｃは、ＵＥ３１５とのＣｏＭＰ通信を開始し得る。
【００５４】
[0069]様々な例では、ｅＮＢ３０５によって実施されるＣｏＭＰ送信は、ＬＴＥ／ＬＴＥ−Ａのために確立された１つまたは複数のＣｏＭＰ送信方式と制御技法とを含み得る。たとえば、ＣｏＭＰ協調セット内のｅＮＢ３０５は、動的ポイント選択（ＤＰＳ）のためのクロスセル制御を採用し得、ここでは、制御情報はたとえばｅＮＢ３０５−ａによって提供され得、データは、他のｅＮＢ３０５−ｂおよび／またはｅＮＢ３０５−ｃによって提供され得る。そのような場合、動的レートマッチングは、ｅＮＢ３０５−ａとＵＥ３１５との間に確立された制御チャネルを介してシグナリングされ得る。別の例では、ＣｏＭＰ協調セットのｅＮＢ３０５は、復調用基準信号（ＤＭ−ＲＳ：demodulation reference signal）、チャネル状態情報基準信号（ＣＳＩ−ＲＳ：channel state information reference signal）、および共通基準信号（ＣＲＳ：common reference signal）などの、異なるｅＮＢ３０５からの異なる基準信号間の準同一位置結合（quasi-colocated linkage）を提供し得る。そのような基準信号は、ＣｏＭＰ協調セットのｅＮＢ３０５のためのタイミング、周波数追跡、および／またはチャネル推定情報を提供し得る。ＵＥ３１５は、各ｅＮＢ３０５からの基準信号のうちの１つまたは複数から様々なパラメータを測定し得、測定値を、たとえばｅＮＢ３０５−ａに報告し得る。いくつかの例では、ＵＥ３１５は、たとえば、ＣＳＩ−ＲＳまたはＤＭ−ＲＳなどの１つまたは複数の基準信号のための仮想セルＩＤのセットのために構成され得る。そのような仮想セルＩＤは、たとえば、共通のＣＲＳロケーション、ＣＳＩ−ＲＳ構成、およびＰＤＳＣＨ開始シンボルを提供し得る。他の例では、ｅＮＢ３０５−ｂまたは３０５−ｃのうちの１つまたは複数は、複数のＣＳＩプロセスで使用するためのｅＮＢ３０５−ａからのランクインジケータ（ＲＩ）を継承し得る。
【００５５】
[0070]上述のように、ＣｏＭＰ協調セットのｅＮＢが、無認可無線周波数スペクトル帯域などの無線周波数スペクトル帯域への競合ベースのアクセスを利用する例では、１つまたは複数のｅＮＢが、特定の時間フレーム中の競合に勝たないことがあり、ＣｏＭＰ協調セットの他のｅＮＢが、競合に勝つことがあり得る。したがって、ＣｏＭＰ通信のために協調セット内で利用可能なｅＮＢの数は、連続した時間期間にわたって変化し得る。図４Ａおよび図４Ｂは、本開示の態様による、ＣｏＭＰ協調セット内の異なるｅＮＢが連続した競合期間において無線周波数スペクトル帯域についての競合に勝つ連続する競合期間におけるＣｏＭＰ協調セット内のｅＮＢの例を概念的に示すブロック図である。図４Ａおよび図４Ｂのワイヤレス通信システム４００は、図１、図２、および／または図３に関して説明したワイヤレス通信システム１００、２００、および／または３００の部分の一例であり得る。その上、ｅＮＢ４０５は、図１、図２、および／または図３の基地局またはｅＮＢ１０５、２０５、および／または３０５のうちの１つの例であり得、ＵＥ４１５は、図１、図２、および／または図３に関して説明したＵＥ１１５、２１５、および／または３１５の例であり得る。
【００５６】
[0071]この例では、複数のｅＮＢ４０５−ａ、４０５−ｂ、および４０５−ｃがＵＥ４１５とのＣｏＭＰ通信を利用し得るワイヤレス通信システム４００の一部が示されている。図４Ａの例では、ｅＮＢ４０５の各々は、ＣＣＡ期間ｎ中に無線周波数スペクトル帯域内のチャネルについての競合に勝っていることがあり、ＵＥ４１５との通信のための１つまたは複数のＣｏＭＰ技法を採用し得る。ＣｏＭＰ通信の一部として、ｅＮＢ４０５−ａは、通信リンク４２５−ａを介してＵＥ４１５と通信し得、ｅＮＢ４０５−ｂは、通信リンク４２５−ｂを介してＵＥ４１５と通信し得、ｅＮＢ４０５−ｃは、通信リンク４２５−ｃを介してＵＥ４１５と通信し得る。ＣｏＭＰ通信は、たとえば、ＤＰＳ送信もしくはＪＴ  ＣｏＭＰ送信、またはそれらの組合せを含み得る。
【００５７】
[0072]しかしながら、ＣＣＡ期間ｎ＋１において送信を開始する前に、各ｅＮＢ４０５は、チャネルが無認可無線周波数スペクトル帯域における送信のために利用可能であるかどうかを決定するために、ＣＣＡ手順またはｅＣＣＡ手順を実施する。図４Ｂの例では、ｅＮＢ４０５−ａは、チャネルについての競合に勝たず、ｅＮＢ４０５−ｂとｅＮＢ４０５−ｃの両方は、チャネルについての競合に勝つ。したがって、通信リンク４２５−ａは、ＣＣＡ期間ｎ＋１において存在しない。したがって、ＣｏＭＰ通信のために利用可能なＣｏＭＰ協調セット内のｅＮＢ４０５は、サブフレームｎおよびサブフレームｎ＋１の間で異なる。
【００５８】
[0073]そのような場合にＣｏＭＰ通信を利用するために、本開示の様々な態様は、ＣｏＭＰ協調セット内の他のｅＮＢへの競合の結果の通信を介してＣｏＭＰ協調セット内のｅＮＢに潜在的な変化を適応させるための技法を提供する。図５は、本開示の態様による、競合ベースの無線周波数スペクトル帯域におけるＣｏＭＰ通信の方法の一例を概念的に示すフローチャートである。方法５００について、図１、図２、図３、および／または図４に関して説明した基地局および／またはｅＮＢ１０５、２０５、３０５、および／または４０５などのアクセスノードの各々を参照しながら説明する。例では、アクセスノードは、以下で説明する機能を実施するためにデバイスの機能要素を制御するためのコードの１つまたは複数のセットを実行し得る。
【００５９】
[0074]ブロック５０５に示すように、２つ以上の基地局またはｅＮＢは、ＵＥとの無線通信のためのＣｏＭＰ協調セットを開始し得る。ＣｏＭＰ協調セットは、本開示で説明するように、そのような通信のための１つまたは複数のＣｏＭＰ技法に従って開始され得る。ブロック５１０では、協調セット内のｅＮＢの各々は、無認可無線周波数スペクトル帯域へのアクセスについて競合するためにＣＣＡ手順を実施し得る。ＣＣＡ手順は、たとえば、たとえばコアネットワークのＣＣＡ協調マネージャによって確立され得る協調ＣＣＡ機会期間内の協調ＣＣＡスロット中の各ｅＮＢによるＣＣＡ手順の実施を含み得る。いくつかの例では、協調セットの各ｅＮＢは、同じ事業者に属し得、各ｅＮＢのためのＣＣＡスロットは、同時に発生するように協調され得る。したがって、チャネルが占有されていない場合、ｅＮＢの各々は、チャネルについての競合に勝つ可能性があり、異なるＣＣＡスロットを有する他の事業者のｅＮＢは、競合に勝たない。
【００６０】
[0075]ブロック５１５では、ｅＮＢのＣＣＡ状態が競合に勝ったことを示すかどうかが決定される。ＣＣＡ状態が競合に勝たなかったことを示す場合、ｅＮＢは、ブロック５２０に示されるように、失敗ＣＣＡ状態をＣｏＭＰ協調セットの他のｅＮＢに通信する。ブロック５１５で、ＣＣＡ状態が競合に勝ったことを示すことが決定された場合、ｅＮＢは、ブロック５２５に示されるように、チャネルを使用して送信を開始し、成功ＣＣＡ状態をＣｏＭＰ協調セット内の他のｅＮＢに通信する。ＣＣＡ状態のそのような通信は、たとえば、ｅＮＢ間のバックホールリンクを介してシグナリングされ得、または、ｅＮＢ間でワイヤレスにシグナリングされ得る。いくつかの例では、ｅＮＢが通信期間についての競合に勝ったかどうかを示すためにＣＣＡ状態を含み得る情報要素が、ｅＮＢ間の既存の通信に含まれ得る。ブロック５３０では、ＣＣＡがＣｏＭＰ協調セット内の１つまたは複数の他のｅＮＢについて成功したかどうかを示し得る１つまたは複数のＣＣＡ状態が受信され得る。いくつかの例によれば、ＣＣＡ競合に関係する通信期間は、ＬＴＥ無線フレームに対応し得、ＣｏＭＰ協調セット内のｅＮＢは、無線フレーム（たとえば、最初のいくつかのシンボルまたは最初のサブフレーム）の状態通知時間期間中にＣＣＡ状態情報を通信し得る。状態通知時間期間中、ＣｏＭＰ協調セットのｅＮＢは、協調セット内のｅＮＢのうちのどれが送信のために利用可能であるのかを決定するために、ＣｏＭＰ協調セットの他のｅＮＢとＣＣＡ状態を通信し得る。ブロック５３０において、どの他のｅＮＢも競合に勝っていないことが決定された場合、ｅＮＢは、ブロック５３５に示すように、通信期間中にＵＥとの非ＣｏＭＰ通信を実施する。ブロック５３０において、１つまたは複数の他のｅＮＢが競合に勝ったことが決定された場合、ｅＮＢは、ブロック５４０に示すように、状態通知時間期間の後、通信期間の間、ＣｏＭＰ協調セット内の１つまたは複数の他のｅＮＢとのＵＥのためのＣｏＭＰ通信を開始し得る。ＣｏＭＰ通信の開始に続いて、協調セット内のｅＮＢは、通信期間の残りのすべてまたは一部の間、ＵＥとの通信のための１つまたは複数のＣｏＭＰ技法に従って送信し得る。たとえば、状態通知時間期間は、ＣＣＡ手順に続く無線フレームの最初のサブフレームの最初のいくつかのシンボルまたは最初のサブフレームに対応し得、ＣｏＭＰ通信は、状態通知時間期間に続いて開始され得る。いくつかの例では、ＣＣＡ状態通知時間期間は、ＣＣＡ手順の性質に少なくとも部分的に基づいて決定され得る。通信期間に対応し得る無線フレームの最後には、方法５００の動作は、後続の通信期間について繰り返され得る。
【００６１】
[0076]上記で説明したように、様々な異なるＣｏＭＰ技法が、ＣｏＭＰ協調セット内のｅＮＢによって利用され得る。図６は、本開示の態様による、動的ポイント選択（ＤＰＳ）ＣｏＭＰ方式において異なる基地局によって送信される無線サブフレームおよび関係するリソースブロックの一例を概念的に示すブロック図６００である。図６のワイヤレス通信システムは、図１、図２、図３および／または図４に関して説明したワイヤレス通信システム１００、２００、３００および／または４００の一部の一例であり得る。その上、ｅＮＢ６０５は、図１、図２、図３、および／または図４の、基地局またはｅＮＢ１０５、２０５、３０５、および／または４０５のうちの１つの例であり得、ＵＥ６１５は、図１、図２、図３、および／または図４に関して説明したＵＥ１１５、２１５、３１５および／または４１５の例であり得る。
【００６２】
[0077]この例では、ｅＮＢ６０５−ａとｅＮＢ６０５−ｂの両方が、サブフレームｎの間に無線周波数スペクトル帯域へのアクセスについての競合期間の間にチャネルについての競合に勝ったことが決定され得る。ｅＮＢ６０５−ａとｅＮＢ６０５−ｂの両方は、サブフレームｎの間、異なるリソースブロックを送信するように協調し得る。別の例では、ｅＮＢ６０５−ａは、サブフレームｎの間にすべてのリソースブロックを送信するように協調し得、またはｅＮＢ６０５−ｂは、サブフレームｎの間にすべてのリソースブロックを送信するように協調し得る（図示せず）。図６の例では、ｅＮＢ６０５−ａは、リソースブロック６２５をＵＥ６１５に送信し得、ｅＮＢ６０５−ｂは、リソースブロック６３０を送信し得る。しかしながら、いくつかの例では、競合ベースの無線周波数スペクトル帯域のためのアクセスルールは、チャネルの制御を維持するために、競合ベースの無線周波数スペクトル帯域が、利用可能な送信期間の少なくとも最小パーセンテージ（たとえば、８０％）の間占有されなければならないことを必要とし得る。たとえば、ｅＮＢ６０５−ａがリソースブロック６２５を送信している間、ｅＮＢ６０５−ｂは、１つまたは複数の他のＵＥと通信し得、または、最小パーセンテージの占有を満たすために、競合ベースの無線周波数スペクトル帯域を使用して比較的低電力のチャネル占有信号を送信し得る。低電力の占有信号は、たとえば、チャネルへのアクセスを維持するために、チャネル使用ビーコン信号（ＣＵＢＳ：channel usage beacon signal）を含み得る。他の例では、ｅＮＢ６０５−ａおよびｅＮＢ６０５−ｂは、ｅＮＢ６０５がその間に送信する競合期間を交互にし得、それによって、１つのｅＮＢ６０５が無線周波数スペクトル帯域のための確立されたチャネル占有ルールを維持することを可能にする。
【００６３】
[0078]単独で、またはＤＰＳとともに利用され得る別のＣｏＭＰ技法は、ＣｏＭＰ協調セット内のｅＮＢによって利用され得るジョイント送信（ＪＴ）ＣｏＭＰ方式である。図７は、本開示の態様による、ジョイント送信ＣｏＭＰ方式において異なる基地局によって送信される無線サブフレームおよび関係するリソースブロックの一例を概念的に示すブロック図７００である。図７のワイヤレス通信システムは、図１、図２、図３、図４および／または図６に関して説明したワイヤレス通信システム１００、２００、３００、４００および／または６００の一部の一例であり得る。その上、ｅＮＢ７０５は、図１、図２、図３、図４、および／または図６の、基地局またはｅＮＢ１０５、２０５、３０５、４０５、および／または６０５のうちの１つの例であり得、ＵＥ７１５は、図１、図２、図３、図４、および／または図６に関して説明したＵＥ１１５、２１５、３１５、４１５および／または６１５の一例であり得る。
【００６４】
[0079]この例では、ｅＮＢ７０５−ａとｅＮＢ７０５−ｂの両方が、サブフレームｎの間に無線周波数スペクトル帯域へのアクセスについての競合期間の間にチャネルについての競合に勝ったことが決定され得る。ｅＮＢ７０５−ａとｅＮＢ７０５−ｂの両方は、サブフレームｎの間、リソースブロック７２５を送信するように協調し得る。図７の例では、ｅＮＢ７０５−ａとｅＮＢ７０５−ｂの両方は、リソースブロック７２５を同時に送信し得る。そのような場合、両方のｅＮＢは、競合ベースの無線周波数スペクトル帯域のための送信占有ルールを維持し得る。
【００６５】
[0080]ＪＴおよび／またはＤＰＳ  ＣｏＭＰ技術を利用するとき、上記で説明したように、ＵＥ７１５は様々なＣＳＩ測定などの様々な測定を実施し得る。ＣＳＩ測定を行うとき、ＵＥ７１５は、たとえば、基準ＣＳＩ−ＲＳとしてｅＮＢ７０５−ａからのＣＳＩ基準信号を使用し得、ＣＳＩ情報をｅＮＢ７０５−ｂに提供するために基準ＣＳＩ−ＲＳにおける情報に基づいて測定を行い得る。たとえば、ＣＳＩ−ＲＳ情報は、ランクインジケータ（ＲＩ）を含み得、ＣＳＩにおける様々な測定は、基準ＣＳＩ−ＲＳのためのＲＩ値に基づいて決定され得る。さらに、従属ＣＳＩプロセスと呼ばれるｅＮＢ７０５−ｂからのＣＳＩ−ＲＳに基づくＣＳＩは、基準ＣＳＩ−ＲＳのためのＲＩ値に基づく様々な値を含み得る。しかしながら、いくつかの事例では、基準ＣＳＩプロセスのためのＣＣＡは、失敗することがあり、したがって、従属ＣＳＩプロセスのためのＲＩ値は、そのような場合に確立される必要があり得る。
【００６６】
[0081]図８は、本開示の態様による、ＣｏＭＰ協調セットにおける基準セルおよび従属セルのための基準ＣＳＩプロセスおよび従属ＣＳＩプロセスを概念的に示す図８００である。この例では、基準ＣＳＩプロセスは、広帯域ＣＳＩ測定（図８においてＷＢとして示される）、および３つのサブバンドＣＳＩ測定（図８においてＳＢとして示す）を含み得、サブバンド測定は、１のランクインジケータ（ＭRI）のための報告間隔で１サイクルのために行われる。図８の例では、従属ＣＳＩプロセスはまた、広帯域ＣＳＩ測定、および３つのサブバンドＣＳＩ測定を含み得る。しかしながら、従属ＣＳＩプロセスは、１のランクインジケータ（ＭRI）のための報告間隔で２サイクルのためのサブバンド測定を提供し得る。例によれば、従属ＣＳＩプロセスは、８２５に示すように、時間Ｔ0において基準ＣＳＩプロセスから初期ＲＩ値８２０を継承し得、これは、８３０に示すように従属ＣＳＩプロセス広帯域測定のため、ならびに８３５に示すようにサブバンド測定のために利用され得る。この例では、基準セルに関連する基準ｅＮＢは、時間Ｔ1の前のある時点でそのＣＣＡプロセスを失敗することがあり、従属ＣＳＩプロセスに関連するｅＮＢは、成功したＣＣＡを有する。時間Ｔ1に続いて、従属ＣＳＩプロセスは、後続のサブバンドＣＳＩ測定８４５で使用するための基準ＣＳＩプロセスからの更新されたＲＩ値８４０を継承することを期待する。基準ｅＮＢはまた、いくつかの例では、サービングｅＮＢと呼ばれ得る。
【００６７】
[0082]しかしながら、基準ｅＮＢは、ＣＣＡを失敗したので、更新されたＲＩは、利用できない。いくつかの例によれば、従属ＣＳＩプロセスは、ＣＣＡが基準ｅＮＢにおいて失敗したことの決定を行い得、従属ｅＮＢ  ＣＣＡが基準ｅＮＢ  ＣＣＡの失敗に続いて成功したとき、基準ＣＳＩプロセスから最後に報告されたＲＩ８２０を使用し得る。他の例では、従属ＣＳＩプロセスは、ＣＳＩサブセット制限手法に依存し得、ここでは、ＲＩ値は、従属ＣＳＩプロセスで使用するために確立される。さらなる別の例では、協調セット内のｅＮＢは、基準ＣＳＩプロセスのためのＣＳＩ−ＲＳを送信する基準ｅＮＢがＣＣＡを失敗したとき、たとえば、「基準ランク」をシグナリングする制御チャネルを使用して、シグナリングし得る。そのようにして、従属ＣＳＩプロセスは、ＵＥとの継続的な送信のためのＣＳＩ情報を決定し得る。
【００６８】
[0083]図９Ａおよび図９Ｂは、本開示の態様による、ワイヤレス通信で使用するためのｅＮＢまたはＵＥなどのデバイスを概念的に示すブロック図である。最初に図９Ａを参照すると、ブロック図９００は、様々な例による、ワイヤレス通信において使用するためのデバイス９０５を示している。いくつかの例では、デバイス９０５は、図１、図２、図３、図４、図６および／または図７に関して説明した基地局もしくはｅＮＢ１０５、２０５、３０５、４０５、６０５、７０５および／またはＵＥ１１５、２１５、３１５、４１５、６１５、７１５の１つまたは複数の態様の一例であり得る。デバイス９０５はプロセッサでもあり得る。デバイス９０５は、受信機モジュール９１０、ＣｏＭＰモジュール９２０、および／または送信機モジュール９３０を含み得る。これらの構成要素の各々は互いに通信中であり得る。
【００６９】
[0084]デバイス９０５の構成要素は、適用可能な機能の一部または全部をハードウェアで実施するように適応された１つまたは複数の特定用途向け集積回路（ＡＳＩＣ）を用いて、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００７０】
[0085]いくつかの例では、受信機モジュール９１０は、認可無線周波数スペクトル帯域および／または無認可無線周波数スペクトル帯域中で伝送を受信するように動作可能なＲＦ受信機などの無線周波数（ＲＦ）受信機であるか、またはそれを含み得る。受信機モジュール９１０は、図１、図２、および／または図４に関して説明したワイヤレス通信システム１００、２００、および／または４００の１つまたは複数の通信リンク１２５、２２０〜２４０、および／または４２５など、認可無線周波数スペクトル帯域と無認可無線周波数スペクトル帯域とを含むワイヤレス通信システムの１つまたは複数の通信リンクを介して、様々なタイプのデータおよび／または制御信号（すなわち、伝送）を受信するために使用され得る。
【００７１】
[0086]いくつかの例では、送信機モジュール９３０は、認可無線周波数スペクトル帯域および／または無認可無線周波数スペクトル帯域中で送信するように動作可能なＲＦ送信機などのＲＦ送信機であるか、またはそれを含み得る。送信機モジュール９３０は、図１、図２、および／または図４に関して説明したワイヤレス通信システム１００、２００、および／または４００の１つまたは複数の通信リンク１２５、２２０〜２４０、および／または４２５など、ワイヤレス通信システムの１つまたは複数の通信リンクを介して、様々なタイプのデータおよび／または制御信号（すなわち、伝送）を送信するために使用され得る。
【００７２】
[0087]いくつかの例では、ＣＯＭＰモジュール９２０は、２つ以上のｅＮＢとの協調されたＣｏＭＰ通信を構成および／または実施し得る。ＣｏＭＰモジュール９２０が、通信において無認可無線周波数スペクトル帯域が使用されるべきであると決定したとき、ＣｏＭＰ協調セットが確立されたかどうか、および、ＣｏＭＰ協調セット内の１つまたは複数の他のｅＮＢが、たとえば、図１〜図８に関して上記で説明したような、ＣｏＭＰ通信を確立するために、無線周波数スペクトル帯域内のチャネルへの競合ベースのアクセスに勝ったかどうかが決定され得る。
【００７３】
[0088]次に図９Ｂを参照すると、ブロック図９５０は、本開示の様々な態様による、ワイヤレス通信において使用するためのデバイス９５５を示す。いくつかの例では、デバイス９５５は、図１、図２、図３、図４、図６および／または図７に関して説明した基地局もしくはｅＮＢ１０５、２０５、３０５、４０５、６０５、７０５および／またはＵＥ１１５、２１５、３１５、４１５、６１５、７１５の１つまたは複数の態様の一例であり得る。デバイス９５５はプロセッサでもあり得る。デバイス９５５は、受信機モジュール９１２、ＣＯＭＰモジュール９２２、および／または送信機モジュール９３２を含み得る。これらの構成要素の各々は互いに通信中であり得る。
【００７４】
[0089]デバイス９５５の構成要素は、適用可能な機能の一部または全部をハードウェアで実施するように適応された１つまたは複数のＡＳＩＣを用いて、個々にまたはまとめて実装され得る。代替的に、それらの機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００７５】
[0090]いくつかの例では、受信機モジュール９１２は、図９Ａの受信機モジュール９１０の一例であり得る。受信機モジュール９１２は、認可無線周波数スペクトル帯域および／または無認可無線周波数スペクトル帯域中で伝送を受信するように動作可能なＲＦ受信機などの無線周波数（ＲＦ）受信機であるか、またはそれを含み得る。ＲＦ受信機は、認可無線周波数スペクトル帯域および無認可無線周波数スペクトル帯域のために別個の受信機を含み得る。別個の受信機は、場合によっては、認可ＲＦスペクトル帯域受信機モジュール９１４および無認可ＲＦスペクトル帯域受信機モジュール９１６の形態をとり得る。認可ＲＦスペクトル帯域受信機モジュール９１４と無認可ＲＦスペクトル帯域受信機モジュール９１６とを含む、受信機モジュール９１２は、図１、図２および／または図４に関して説明したワイヤレス通信システム１００、２００および／または４００の１つまたは複数の通信リンク１２５、２２０〜２４０、および／または４２５など、認可無線周波数スペクトル帯域と無認可無線周波数スペクトル帯域とを含むワイヤレス通信システムの１つまたは複数の通信リンクを介して、様々なタイプのデータおよび／または制御信号（すなわち、伝送）を受信するために使用され得る。
【００７６】
[0091]いくつかの例では、送信機モジュール９３２は、図９Ａの送信機モジュール９３０の一例であり得る。送信機モジュール９３２は、認可無線周波数スペクトル帯域および／または無認可無線周波数スペクトル帯域中で送信するように動作可能なＲＦ送信機などのＲＦ送信機であるか、またはそれを含み得る。ＲＦ送信機は、認可無線周波数スペクトル帯域および無認可無線周波数スペクトル帯域のために別個の送信機を含み得る。別個の送信機は、場合によっては、認可ＲＦスペクトル帯域送信機モジュール９３４および無認可ＲＦスペクトル帯域送信機モジュール９３６の形態をとり得る。送信機モジュール９３２は、図１、図２および／または図４に関して説明したワイヤレス通信システム１００、２００および／または４００の１つまたは複数の通信リンク１２５、２２０〜２４０、および／または４２５など、ワイヤレス通信システムの１つまたは複数の通信リンクを介して、様々なタイプのデータおよび／または制御信号（すなわち、伝送）を送信するために使用され得る。
【００７７】
[0092]ＣｏＭＰモジュール９２２は、図９Ａに関して説明したＣｏＭＰモジュール９２０の例であり得、ＣＣＡ状態決定モジュール９６５、ＣＣＡ状態通信モジュール９７５、および／またはＣｏＭＰ協調モジュール９８０を含み得る。これらの構成要素の各々は、互いに通信し得る。
【００７８】
[0093]いくつかの例では、ＣＣＡ状態決定モジュール９６５は、ｅＮＢが、競合ベースの無線周波数スペクトル帯域内のチャネルにアクセスするためのＣＣＡ手順に従って競合に勝ったかどうかを決定する。ＣＣＡ手順は、上記で説明したように、複数のｅＮＢおよび／または事業者の間で協調された競合期間中に実施される手順であり得る。ＣＣＡ状態通信モジュール９７５は、ｅＮＢのＣＣＡ状態を通信するため、および、また、ＣｏＭＰ協調セット内の１つまたは複数の他のｅＮＢからのＣＣＡ状態を受信するために、ＣｏＭＰ協調セットのｅＮＢと通信し得る。ＣｏＭＰ協調モジュール９８０は、いくつかの例では、１つまたは複数のＣｏＭＰ技法（たとえば、ＪＴおよび／またはＤＰＳ）を使用し、協調セットのｅＮＢが、たとえば、図１〜図８に関して上記で説明したようなＣｏＭＰ送信を送信するべきであるとき、基準信号情報などの、協調セットの他のｅＮＢとのＣｏＭＰ通信の１つまたは複数の態様を協調し得る。
【００７９】
[0094]図１０は、本開示の態様による、ＵＥの設計を概念的に示すブロック図１０００である。図１０では、無線周波数スペクトル帯域における競合ベースのチャネルアクセスを使用するＣｏＭＰのために構成されたＵＥ１０１５を示すブロック図１０００が示されている。ＵＥ１０１５は、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダーなどに含まれるかまたはそれらの一部であり得る。ＵＥ１０１５は、モバイル動作を可能にするために、小型バッテリーなどの内蔵電源（図示せず）を有し得る。いくつかの例では、ＵＥ１０１５は、図１、図２、図３、図４、図６、図７、図９Ａおよび／または図９Ｂに関して説明したＵＥまたはデバイス１１５、２１５、３１５、４１５、６１５、７１５、９０５および／または９５５のうちの１つまたは複数の一例であり得る。ＵＥ１０１５は、図１、図２、図３、図４、図６、図７、図９Ａおよび／または図９Ｂに関して説明した基地局、ｅＮＢまたはデバイス１０５、２０５、３０５、４０５、６０５、７０５、９０５および／または９５５のうちの１つまたは複数と通信するように構成され得る。
【００８０】
[0095]ＵＥ１０１５は、プロセッサモジュール１０１０、メモリモジュール１０２０、（トランシーバモジュール１０７０によって表される）少なくとも１つのトランシーバモジュール、（アンテナ１０８０によって表される）少なくとも１つのアンテナ、および／またはＵＥ無線周波数（ＲＦ）スペクトル帯域モジュール１０４０を含み得る。これらの構成要素の各々は、１つまたは複数のバス１０３５を介して、直接または間接的に互いに通信中であり得る。
【００８１】
[0096]メモリモジュール１０２０は、ＲＡＭおよび／またはＲＯＭを含み得る。メモリモジュール１０２０は、実行されたとき、認可および／または無認可無線周波数スペクトル帯域中でＬＴＥベースの通信を使用するために、本明細書で説明する様々な機能をプロセッサモジュール１０１０に実施させるように構成された命令を含んでいる、コンピュータ可読、コンピュータ実行可能ソフトウェア（ＳＷ）コード１０２５を記憶し得る。代替的に、ソフトウェアコード１０２５は、プロセッサモジュール１０１０によって直接的に実行可能でないことがあるが、（たとえば、コンパイルされ実行されたとき）本明細書で説明する様々なＵＥ機能をＵＥ１０１５に実施させるように構成され得る。
【００８２】
[0097]プロセッサモジュール１０１０は、インテリジェントハードウェアデバイス、たとえば、ＣＰＵ、マイクロコントローラ、ＡＳＩＣなどを含み得る。プロセッサモジュール１０１０は、トランシーバモジュール１０７０を通して受信された情報、および／またはアンテナ１０８０を通して送信するためのトランシーバモジュール１０７０に送られるべき情報を処理し得る。プロセッサモジュール１０１０は、単独でまたはＵＥ  ＲＦスペクトル帯域モジュール１０４０とともに、ＣｏＭＰ通信を含む、認可および／または無認可無線周波数スペクトル帯域においてＬＴＥベースの通信を使用する様々な態様を扱い得る。
【００８３】
[0098]トランシーバモジュール１０７０は、ｅＮＢと双方向通信するように構成され得る。トランシーバモジュール１０７０は、１つまたは複数の送信機モジュールおよび１つまたは複数の別個の受信機モジュールとして実装され得る。トランシーバモジュール１０７０は、少なくとも１つの認可無線周波数スペクトル帯域中での、および少なくとも１つの無認可無線周波数スペクトル帯域中での通信をサポートし得る。トランシーバモジュール１０７０は、パケットを変調し、変調されたパケットを送信のためにアンテナ１０８０に与え、アンテナ１０８０から受信されたパケットを復調するように構成されたモデムを含み得る。ＵＥ１０１５は単一のアンテナを含み得るが、ＵＥ１０１５が複数のアンテナ１０８０を含み得る例があり得る。
【００８４】
[0099]図１０のアーキテクチャによれば、ＵＥ１０１５は通信管理モジュール１０３０をさらに含み得る。通信管理モジュール１０３０は、様々な基地局またはｅＮＢとの通信を管理し得る。通信管理モジュール１０３０は、１つまたは複数のバス１０３５を介してＵＥ１０１５の他の構成要素の一部または全部と通信しているＵＥ１０１５の構成要素であり得る。代替として、通信管理モジュール１０３０の機能は、トランシーバモジュール１０７０の構成要素として、コンピュータプログラム製品として、および／またはプロセッサモジュール１０１０の１つもしくは複数のコントローラ要素として実装され得る。
【００８５】
[0100]ＵＥ  ＲＦスペクトル帯域モジュール１０４０は、認可および／または無認可の競合ベースの無線周波数スペクトル帯域においてＬＴＥベースの通信を使用することに関係する図１〜図９で説明したＣｏＭＰ関連の機能または態様の一部または全部を実施および／または制御するように構成され得る。たとえば、ＵＥ  ＲＦスペクトル帯域モジュール１０４０は、２つ以上のｅＮＢがＣｏＭＰ協調セットにおいて送信していると決定するように構成され得、決定に基づいて、通信を受信し得、および／または様々な基準信号測定値を提供し得る。ＵＥ  ＲＦスペクトル帯域モジュール１０４０は、認可無線周波数スペクトル帯域においてＬＴＥ通信を処理するように構成されたＬＴＥモジュール１０４５、無認可無線周波数スペクトル帯域においてＬＴＥ通信を処理するように構成されたＬＴＥ無認可モジュール１０５０、および／またはＵＥ  ＣｏＭＰモジュール１０５５を含み得る。ＵＥ  ＣｏＭＰモジュール１０５５は、２つ以上のｅＮＢがＣｏＭＰ協調セットにおいて送信していると決定し得、決定に基づいて、通信を受信し得、および／または様々な基準信号測定値を提供し得る。ＵＥ  ＲＦスペクトル帯域モジュール１０４０もしくはそれの部分は、プロセッサを含み得、および／またはＵＥ  ＲＦスペクトル帯域モジュール１０４０の機能の一部もしくは全部は、プロセッサモジュール１０１０によっておよび／もしくはプロセッサモジュール１０１０に関連して実施され得る。
【００８６】
[0101]図１１は、本開示の態様による、基地局の設計を概念的に示すブロック図である。図１１では、無線周波数スペクトル帯域における競合ベースのチャネルアクセスに関連してＣｏＭＰのために構成された基地局１１０５を示すブロック図１１００が示されている。いくつかの例では、基地局１１０５は、図１、図２、図３、図４、図６、図７、図９Ａ、および／または図９Ｂに関して説明した、基地局、ｅＮＢ、またはデバイス１０５、２０５、３０５、４０５、６０５、７０５、９０５、および／または９５５の１つまたは複数の態様の一例であり得る。基地局１１０５は、図１〜図９に関して説明したＣｏＭＰの特徴および機能の少なくとも一部を実装するように構成され得る。基地局１１０５は、プロセッサモジュール１１１０、メモリモジュール１１２０、少なくとも１つのトランシーバモジュール（トランシーバモジュール１１５５によって表される）、少なくとも１つのアンテナ（アンテナ１１６０によって表される）、および／または基地局無線周波数（ＲＦ）スペクトル帯域モジュール１１７０を含み得る。基地局１１０５はまた、基地局通信モジュール１１３０およびネットワーク通信モジュール１１４０のうちの一方または両方を含み得る。これらの構成要素の各々は、直接、または１つもしくは複数のバス１１３５を介して間接的に、互いに通信し得る。
【００８７】
[0102]メモリモジュール１１２０は、ランダムアクセスメモリ（ＲＡＭ）および／または読取り専用メモリ（ＲＯＭ）を含み得る。メモリモジュール１１２０は、実行されたとき、ＣｏＭＰ関連の通信および測定の実施を含めて、認可および／または無認可無線周波数スペクトル帯域中でＬＴＥベースの通信を使用するために、本明細書で説明する様々な機能をプロセッサモジュール１１１０に実施させるように構成された命令を含んでいる、コンピュータ可読、コンピュータ実行可能ソフトウェア（ＳＷ）コード１１２５を記憶し得る。代替的に、ソフトウェアコード１１２５は、プロセッサモジュール１１１０によって直接的に実行可能でないことがあるが、たとえば、コンパイルされ実行されたとき、本明細書で説明する様々な機能を基地局１１０５に実施させるように構成され得る。
【００８８】
[0103]プロセッサモジュール１１１０は、インテリジェントハードウェアデバイス、たとえば、中央処理ユニット（ＣＰＵ）、マイクロコントローラ、ＡＳＩＣなどを含み得る。プロセッサモジュール１１１０は、トランシーバモジュール１１５５、基地局通信モジュール１１３０、および／またはネットワーク通信モジュール１１４０を介して受信された情報を処理し得る。プロセッサモジュール１１１０はまた、アンテナ１１６０を介した送信のためにトランシーバモジュール１１５５へ、１つもしくは複数の他の基地局もしくはｅＮＢ１１０５−ａおよび１１０５−ｂへの送信のために基地局通信モジュール１１３０へ、ならびに／または、図１に関して説明したコアネットワーク１３０の態様の一例であり得るコアネットワーク１１４５への送信のためにネットワーク通信モジュール１１４０へ送られるべき情報を処理し得る。プロセッサモジュール１１１０は、単独でまたは基地局ＲＦスペクトル帯域モジュール１１７０とともに、図１〜図９に関して上記で説明したような、ＣｏＭＰ関連の機能の実施を含む、認可および／または無認可無線周波数スペクトル帯域においてＬＴＥベースの通信を使用する様々な態様を扱い得る。
【００８９】
[0104]トランシーバモジュール１１５５は、パケットを変調し、変調されたパケットを送信のためにアンテナ１１６０に与え、アンテナ１１６０から受信されたパケットを復調するように構成されたモデムを含み得る。トランシーバモジュール１１５５は、１つまたは複数の送信機モジュールおよび１つまたは複数の別個の受信機モジュールとして実装され得る。トランシーバモジュール１１５５は、少なくとも１つの認可無線周波数スペクトル帯域中での、および少なくとも１つの無認可無線周波数スペクトル帯域中での通信をサポートし得る。トランシーバモジュール１１５５は、たとえば、図１、図２、図４、図６、図７および／または図１０に関して説明したＵＥまたはデバイス１１５、２１５、３１５、４１５、６１５、７１５および／または１０１５のうちの１つまたは複数と、アンテナ１１６０を介して、双方向に通信するように構成され得る。基地局１１０５は、通常、複数のアンテナ１１６０（たとえば、アンテナアレイ）を含み得る。基地局１１０５は、ネットワーク通信モジュール１１４０を通してコアネットワーク１１４５と通信し得る。基地局１１０５は、基地局通信モジュール１１３０を使用して、ＣｏＭＰ協調セット内の他の基地局であり得るｅＮＢ１１０５−ａおよび／または１１０５−ｂなどの他の基地局またはｅＮＢと通信し得る。
【００９０】
[0105]図１１のアーキテクチャによれば、基地局１１０５は通信管理モジュール１１５０をさらに含み得る。通信管理モジュール１１５０は、他の基地局、ｅＮＢおよび／またはデバイスとの通信を管理し得る。通信管理モジュール１１５０は、１つまたは複数のバス１１３５を介して基地局１１０５の他の構成要素の一部または全部と通信していることがある。代替として、通信管理モジュール１１５０の機能は、トランシーバモジュール１１５５の構成要素として、コンピュータプログラム製品として、および／またはプロセッサモジュール１１１０の１つまたは複数のコントローラ要素として実装され得る。
【００９１】
[0106]基地局ＲＦスペクトル帯域モジュール１１７０は、認可および／または無認可無線周波数スペクトル帯域におけるＣｏＭＰ通信に関係する図１〜図９に関して説明した基地局機能または態様の一部または全部を実施および／または制御するように構成され得る。たとえば、基地局ＲＦスペクトル帯域モジュール１１７０は、協調された競合間隔に従ってＣＣＡ動作をサポートし、他の基地局１１０５−ａおよび１１０５−ｂとＣＣＡ状態を通信するように構成され得る。基地局ＲＦスペクトル帯域モジュール１１７０は、認可無線周波数スペクトル帯域においてＬＴＥ通信を処理するように構成されたＬＴＥモジュール１１７５、無認可無線周波数スペクトル帯域およびＣＣＡにおいてＬＴＥ通信を処理するように構成されたＬＴＥ無認可モジュール１１８０、ならびに／または無認可無線周波数スペクトル帯域においてＬＴＥ以外の通信を処理するように構成された無認可モジュール１１８５を含み得る。基地局ＲＦスペクトル帯域モジュール１１７０はまた、たとえば、図１〜図９に関して説明したＣｏＭＰ機能のいずれかを提供するように構成された基地局ＣｏＭＰモジュール１１９０を含み得る。基地局ＣｏＭＰモジュール１１９０は、図９Ａおよび／または図９Ｂに関して説明した同様のモジュール（たとえば、モジュール９２０および／または９２２）の一例であり得る。基地局ＲＦスペクトル帯域モジュール１１７０またはそれの部分は、プロセッサを含み得、および／または基地局ＲＦスペクトル帯域モジュール１１７０の機能の一部または全部は、プロセッサモジュール１１１０によっておよび／またはプロセッサモジュール１１１０に関連して実施され得る。
【００９２】
[0107]図１２は、本開示の態様による、ＵＥおよび基地局の一例を概念的に示すブロック図である。基地局１２０５およびＵＥ１２１５は、ワイヤレス通信システム１２００の一部であり得る。このワイヤレス通信システム１２００は、図１、図２、図３、図４、図６および／または図７のワイヤレス通信システム１００、２００、３００、４００、６００および／または７００の態様を示し得る。たとえば、基地局１２０５は、図１、図２、図３、図４、図６、図７、および／または図１１に関して上記で説明した基地局、またはｅＮＢ１０５、２０５、３０５、４０５、６０５、７０５、および／または１１０５のうちの１つまたは複数の一例であり得、ＵＥ１２１５は、図１、図２、図３、図４、図６、図７、および／または図１０に関して上記で説明したＵＥ１１５、２１５、３１５、４１５、６１５、７１５、および／または１０１５のうちの１つまたは複数の一例であり得る。
【００９３】
[0108]基地局１２０５は基地局アンテナ１２３４1〜１２３４xを装備し得、ここでｘは正の整数であり、ＵＥ１２１５はＵＥアンテナ１２５２1〜１２５２nを装備し得る。ワイヤレス通信システム１２００では、基地局１２０５は、複数の通信リンクを介して同時にデータを送ることが可能であり得る。各通信リンクは「レイヤ」と呼ばれることがあり、通信リンクの「ランク」は、通信のために使用されるレイヤの数を示し得る。たとえば、基地局１２０５が２つの「レイヤ」を送信する２×２ＭＩＭＯシステムでは、基地局１２０５とＵＥ１２１５との間の通信リンクのランクは２である。
【００９４】
[0109]基地局１２０５において、基地局送信プロセッサ１２２０は、基地局データソースからデータを受信し、基地局プロセッサ１２４０から制御情報を受信し得る。制御情報は、ＰＢＣＨ、ＰＣＦＩＣＨ、ＰＨＩＣＨ、ＰＤＣＣＨなどのためのものであり得る。データはＰＤＳＣＨなどのためのものであり得る。基地局送信プロセッサ１２２０は、データと制御情報とを処理（たとえば、符号化およびシンボルマッピング）して、それぞれデータシンボルと制御シンボルとを取得し得る。基地局送信プロセッサ１２２０はまた、たとえば、ＰＳＳ、ＳＳＳ、およびセル固有基準信号のための基準シンボルを生成し得る。基地局送信（ＴＸ）ＭＩＭＯプロセッサ１２３０は、適用可能な場合、データシンボル、制御シンボル、および／または基準シンボルに対して空間処理（たとえば、プリコーディング）を実施し得、出力シンボルストリームを基地局送信変調器１２３２1〜１２３２xに与え得る。各基地局変調器１２３２は、（たとえば、ＯＦＤＭなどのために）それぞれの出力シンボルストリームを処理して、出力サンプルストリームを取得し得る。各基地局変調器１２３２は、出力サンプルストリームをさらに処理（たとえば、アナログへの変換、増幅、フィルタ処理、およびアップコンバート）して、ダウンリンク（ＤＬ）信号を取得し得る。一例では、基地局変調器１２３２1〜１２３２xからのＤＬ信号は、それぞれ基地局アンテナ１２３４1〜１２３４xを介して送信され得る。
【００９５】
[0110]ＵＥ１２１５において、ＵＥアンテナ１２５２1〜１２５２nは、基地局１２０５からＤＬ信号を受信し得、受信信号をそれぞれＵＥ復調器１２５４1〜１２５４nに与え得る。各ＵＥ復調器１２５４は、それぞれの受信信号を調整（たとえば、フィルタ処理、増幅、ダウンコンバート、およびデジタル化）して、入力サンプルを取得し得る。各復調器１２５４は、（たとえば、ＯＦＤＭなどのための）入力サンプルをさらに処理して、受信シンボルを取得し得る。ＵＥ  ＭＩＭＯ検出器１２５６は、すべてのＵＥ復調器１２５４1〜１２５４nから受信シンボルを取得し、適用可能な場合は受信シンボルに対してＭＩＭＯ検出を実施し、検出シンボルを与え得る。ＵＥ受信（Ｒｘ）プロセッサ１２５８は、検出シンボルを処理（たとえば、復調、デインターリーブ、および復号）し、ＵＥ１２１５のための復号データをデータ出力に与え、復号された制御情報をＵＥプロセッサ１２８０、またはＵＥメモリ１２８２に与え得る。
【００９６】
[0111]アップリンク（ＵＬ）上で、ＵＥ１２１５において、ＵＥ送信プロセッサ１２６４が、ＵＥデータソースからデータを受信し、処理し得る。ＵＥ送信プロセッサ１２６４はまた、基準信号のための基準シンボルを生成し得る。ＵＥ送信プロセッサ１２６４からのシンボルは、適用可能な場合はＵＥ送信ＭＩＭＯプロセッサ１２６６によってプリコーディングされ、（たとえば、ＳＣ−ＦＤＭＡなどのために）ＵＥ復調器１２５４1〜１２５４nによってさらに処理され、基地局１２０５から受信された送信パラメータに従って基地局１２０５に送信され得る。基地局１２０５において、ＵＥ１２１５からのＵＬ信号は、基地局アンテナ１２３４によって受信され、基地局復調器１２３２によって処理され、適用可能な場合は基地局ＭＩＭＯ検出器１２３６によって検出され、基地局受信プロセッサ１２３８によってさらに処理され得る。基地局受信プロセッサ１２３８は、基地局のための復号データをデータ出力と基地局プロセッサ１２４０とに与え得る。ＵＥ１２１５の構成要素は、個々にまたはまとめて、適用可能な機能の一部または全部をハードウェアで実施するように適応された１つまたは複数の特定用途向け集積回路（ＡＳＩＣ）を用いて実装され得る。言及されたモジュールの各々は、ワイヤレス通信システム１２００の動作に関係する１つまたは複数の機能を実施するための手段であり得る。同様に、基地局１２０５の構成要素は、個々にまたはまとめて、適用可能な機能の一部または全部をハードウェアで実施するように適応された１つまたは複数の特定用途向け集積回路（ＡＳＩＣ）を用いて実装され得る。言及された構成要素の各々は、ワイヤレス通信システム１２００の動作に関係する１つまたは複数の機能を実施するための手段であり得る。
【００９７】
[0112]様々な開示する例のうちのいくつかに適応し得る通信ネットワークは、階層化プロトコルスタックに従って動作するパケットベースネットワークであり得る。たとえば、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤは、論理チャネルを介して通信するためにパケットセグメンテーションおよびリアセンブリを実施し得る。媒体アクセス制御（ＭＡＣ）レイヤは、優先度処理と、トランスポートチャネルへの論理チャネルの多重化とを実施し得る。ＭＡＣレイヤはまた、リンク効率を改善するためにＭＡＣレイヤにおいて再送信を行うためにハイブリッドＡＲＱ（ＨＡＲＱ）を使用し得る。物理レイヤにおいて、トランスポートチャネルは物理チャネルにマッピングされ得る。
【００９８】
[0113]一例では、基地局１２０５は、無認可無線周波数スペクトル帯域におけるチャネルにアクセスするための競合ベースのダウンリンクチャネルアクセス手順を実施するための手段、ある時間期間についての競合に勝ったことを決定するための手段、および、競合に勝ったことをＣｏＭＰ協調セット内の１つまたは複数の他の基地局に通信するための手段を含む。一態様では、上述の手段は、上述の手段によって具陳される機能を実施するように構成された、基地局１２０５の基地局プロセッサ１２４０、基地局メモリ１２４２、基地局送信プロセッサ１２２０、基地局受信機プロセッサ１２３８、基地局変調器／復調器１２３２、および基地局アンテナ１２３４であり得る。例では、ＵＥ１２１５は、無認可無線周波数スペクトル帯域内のチャネルにアクセスするための競合ベースのダウンリンクチャネルアクセス手順にサービング基地局が勝ったことを決定するための手段、ならびに、サービング基地局および協調マルチポイント（ＣｏＭＰ）協調セット内の１つまたは複数の他の基地局からの通信を受信するための手段を含む。上述の手段は、上述の手段によって具陳される機能を実施するように構成された、ＵＥ１２１５のＵＥプロセッサ１２８０、ＵＥメモリ１２８２、ＵＥ送信プロセッサ１２６４、ＵＥ受信機プロセッサ１２５８、ＵＥ変調器／復調器１２５４、およびＵＥアンテナ１２５２であり得る。
【００９９】
[0114]図１３は、本開示の態様による、ワイヤレス通信の方法の一例を概念的に示すフローチャートである。明快のために、方法１３００について、図１、図２、図３、図４、図６、図７、図９Ａ、図９Ｂ、図１１、および／または図１２に関して説明した基地局、ｅＮＢまたはデバイス１０５、２０５、３０５、４０５、６０５、７０５、９０５、９５５、１１０５および／または１２０５の各々を参照しながら以下で説明する。一例では、基地局は、以下で説明する機能を実施するために基地局の機能要素を制御するためのコードの１つまたは複数のセットを実行し得る。
【０１００】
[0115]ブロック１３０５において、無認可無線周波数スペクトル帯域へのアクセスを競合するためにＣＣＡ手順が実施される。いくつかの例では、ＣＣＡ手順を実施することは、拡張クリアチャネルアセスメント（ｅＣＣＡ）手順を実施することを含み得る。いくつかの例では、同じおよび／または異なる事業者の複数の基地局は、無認可無線周波数スペクトル帯域への競合ベースのアクセスを実施するために協調され得る。ブロック１３０５における動作は、場合によっては、図９Ａおよび／もしくは図９Ｂに関して説明した、受信機モジュール９１０および９１２ならびに送信機モジュール９３０および９３２に関連するＣｏＭＰモジュール９２０および／もしくは９２２、図１１に関して説明したトランシーバモジュール１１５５およびアンテナ１１６０に関連する基地局ＲＦスペクトル帯域モジュール１１７０、ならびに／または図１２に関して説明したプロセッサ１２４０および関係する構成要素を使用して実施され得る。
【０１０１】
[0116]ブロック１３１０において、ある時間期間についての競合に勝ったかどうかを示すＣＣＡ状態が決定される。ブロック１３１０における動作は、場合によっては、図９Ａおよび／もしくは図９Ｂに関して説明した受信機モジュール９１０および９１２ならびに送信機モジュール９３０および９３２に関連するＣｏＭＰモジュール９２０および／もしくは９２２、図９Ｂに関して説明したＣＣＡ状態決定モジュール９６５、図１１に関して説明したトランシーバモジュール１１５５およびアンテナ１１６０に関連する基地局ＲＦスペクトル帯域モジュール１１７０、ならびに／または図１２に関して説明したプロセッサ１２４０および関係する構成要素を使用して実施され得る。
【０１０２】
[0117]ブロック１３１５において、基地局は、ＣＣＡ状態をＣｏＭＰ協調セット内の１つまたは複数の他の基地局に通信し得る。ブロック１３１５における動作は、場合によっては、図９Ａおよび／もしくは図９Ｂに関して説明した送信機モジュール９３０および９３２に関連するＣｏＭＰモジュール９２０および／もしくは９２２、図９Ｂに関して説明したＣＣＡ状態通信モジュール９７５、図１１に関して説明したトランシーバモジュール１１５５およびアンテナ１１６０に関連する基地局ＲＦスペクトル帯域モジュール１１７０、ならびに／または図１２に関して説明したプロセッサ１２４０および関係する構成要素を使用して実施され得る。
【０１０３】
[0118]オプションのブロック１３２０において、基地局は、時間期間についての競合に勝っているＣＣＡ状態を有するＣｏＭＰ協調セット内の１つまたは複数の他の基地局を使用してユーザ機器（ＵＥ）とのＣｏＭＰ通信を開始し得る。ブロック１３２０における動作は、場合によっては、図９Ａおよび／もしくは図９Ｂに関して説明した受信機モジュール９１０および９１２ならびに送信機モジュール９３０および９３２に関連するＣｏＭＰモジュール９２０および／もしくは９２２、図９Ｂに関して説明したＣｏＭＰ協調モジュール９８０、図１１に関して説明したトランシーバモジュール１１５５およびアンテナ１１６０に関連する基地局ＲＦスペクトル帯域モジュール１１７０、ならびに／または図１２に関して説明したプロセッサ１２４０および関係する構成要素を使用して実施され得る。
【０１０４】
[0119]このようにして、方法１３００は、ＣｏＭＰ通信が競合ベースのチャネルアクセス手順において提供され得るワイヤレス通信を提供し得る。方法１３００は一実装形態にすぎず、方法１３００の動作は、他の実装形態が可能であるように並べ替えられ、または別の方法で修正され得ることに留意されたい。
【０１０５】
[0120]図１４は、本開示の態様による、ワイヤレス通信の方法の一例を概念的に示すフローチャートである。明快のために、方法１４００について、図１、図２、図３、図４、図６、図７、図９Ａ、図９Ｂ、図１１、および／または図１２に関して説明した基地局、ｅＮＢまたはデバイス１０５、２０５、３０５、４０５、６０５、７０５、９０５、９５５、１１０５および／または１２０５の各々を参照しながら以下で説明する。一例では、基地局は、以下で説明する機能を実施するために基地局の機能要素を制御するためのコードの１つまたは複数のセットを実行し得る。
【０１０６】
[0121]ブロック１４０５において、無認可無線周波数スペクトル帯域へのアクセスについて競合するためにＣＣＡ手順が実施される。いくつかの例では、ＣＣＡ手順を実施することは、ｅＣＣＡ手順を実施することを含み得る。いくつかの例では、同じおよび／または異なる事業者の複数の基地局は、無認可無線周波数スペクトル帯域への競合ベースのチャネルアクセスを実施するように協調され得る。ブロック１４０５における動作は、場合によっては、図９Ａおよび／または図９Ｂに関して説明した、受信機モジュール９１０および９１２ならびに送信機モジュール９３０および９３２に関連するＣｏＭＰモジュール９２０および／または９２２、図１１に関して説明した、トランシーバモジュール１１５５およびアンテナ１１６０に関連する基地局ＲＦスペクトル帯域モジュール１１７０、および／または図１２に関して説明したプロセッサ１２４０および関係する構成要素を使用して実施され得る。
【０１０７】
[0122]ブロック１４１０において、ある時間期間についての競合に勝ったかどうかを示すＣＣＡ状態が決定される。ブロック１４１０における動作は、場合によっては、図９Ａおよび／または図９Ｂに関して説明した、受信機モジュール９１０および９１２ならびに送信機モジュール９３０および９３２に関連するＣｏＭＰモジュール９２０および／または９２２、図９Ｂに関して説明したＣＣＡ状態決定モジュール９６５、図１１に関して説明した、トランシーバモジュール１１５５およびアンテナ１１６０に関連する基地局ＲＦスペクトル帯域モジュール１１７０、および／または図１２に関して説明したプロセッサ１２４０および関係する構成要素を使用して実施され得る。
【０１０８】
[0123]ブロック１４１５において、基地局は、競合に勝ったＣＣＡ状態をＣｏＭＰ協調セット内の１つまたは複数の他の基地局に通信し得る。ブロック１４１５における動作は、場合によっては、図９Ａおよび／もしくは図９Ｂに関して説明した送信機モジュール９３０および９３２に関連するＣｏＭＰモジュール９２０および／もしくは９２２、図９Ｂに関して説明したＣＣＡ状態通信モジュール９７５、図１１に関して説明したトランシーバモジュール１１５５およびアンテナ１１６０に関連する基地局ＲＦスペクトル帯域モジュール１１７０、ならびに／または図１２に関して説明したプロセッサ１２４０および関係する構成要素を使用して実施され得る。
【０１０９】
[0124]ブロック１４２０において、基地局は、１つまたは複数の他の基地局が時間期間についての競合に勝ったかどうかを示す１つまたは複数の他の基地局からの１つまたは複数のＣＣＡ状態を受信し得る。ブロック１４２０における動作は、場合によっては、図９Ａおよび／もしくは図９Ｂに関して説明した送信機モジュール９３０および９３２に関連するＣｏＭＰモジュール９２０および／もしくは９２２、図９Ｂに関して説明したＣＣＡ状態通信モジュール９７５、図１１に関して説明したトランシーバモジュール１１５５およびアンテナ１１６０に関連する基地局ＲＦスペクトル帯域モジュール１１７０、ならびに／または図１２に関して説明したプロセッサ１２４０および関係する構成要素を使用して実施され得る。
【０１１０】
[0125]オプションのブロック１４２５において、基地局は、時間期間についての競合に勝っているＣＣＡ状態を有するＣｏＭＰ協調セット内の１つまたは複数の他の基地局を使用してＵＥとのＣｏＭＰ通信を開始し得る。ブロック１４２５における動作は、場合によっては、図９Ａおよび／もしくは図９Ｂに関して説明した受信機モジュール９１０および９１２ならびに送信機モジュール９３０および９３２に関連するＣｏＭＰモジュール９２０および／もしくは９２２、図９Ｂに関して説明したＣｏＭＰ協調モジュール９８０、図１１に関して説明したトランシーバモジュール１１５５およびアンテナ１１６０に関連する基地局ＲＦスペクトル帯域モジュール１１７０、ならびに／または図１２に関して説明したプロセッサ１２４０および関係する構成要素を使用して実施され得る。
【０１１１】
[0126]このようにして、方法１４００は、ＣｏＭＰ通信が競合ベースのチャネルアクセス手順において提供され得るワイヤレス通信を提供し得る。方法１４００は一実装形態にすぎず、方法１４００の動作は、他の実装形態が可能であるように並べ替えられ、または別の方法で修正され得ることに留意されたい。
【０１１２】
[0127]図１５は、本開示の態様による、ワイヤレス通信の方法の一例を概念的に示すフローチャートである。明快のために、方法１５００について、図１、図２、図３、図４、図６、図７、図９Ａ、図９Ｂ、図１１、および／または図１２に関して説明した基地局、ｅＮＢまたはデバイス１０５、２０５、３０５、４０５、６０５、７０５、９０５、９５５、１１０５および／または１２０５の各々を参照しながら以下で説明する。一例では、基地局は、以下で説明する機能を実施するために基地局の機能要素を制御するためのコードの１つまたは複数のセットを実行し得る。
【０１１３】
[0128]ブロック１５０５において、無認可無線周波数スペクトル帯域へのアクセスについて競合するために、基地局においてＣＣＡ手順が実施される。いくつかの例では、ＣＣＡ手順を実行することは、ｅＣＣＡ手順を実行することを含み得る。いくつかの例では、同じおよび／または異なる事業者の複数の基地局は、無線周波数スペクトル帯域への競合ベースのチャネルアクセスを実行するように協調され得る。ブロック１５０５における動作は、場合によっては、図９Ａおよび／または図９Ｂに関して説明した、受信機モジュール９１０および９１２ならびに送信機モジュール９３０および９３２に関連するＣｏＭＰモジュール９２０および／または９２２、図１１に関して説明した、トランシーバモジュール１１５５およびアンテナ１１６０に関連する基地局ＲＦスペクトル帯域モジュール１１７０、および／または図１２に関して説明したプロセッサ１２４０および関係する構成要素を使用して実施され得る。
【０１１４】
[0129]ブロック１５１０において、ある時間期間についての競合に勝ったかどうかを示すＣＣＡ状態が決定され得る。ブロック１５１０における動作は、場合によっては、図９Ａおよび／もしくは図９Ｂに関して説明された受信機モジュール９１０および９１２ならびに送信機モジュール９３０および９３２に関連するＣｏＭＰモジュール９２０および／もしくは９２２、図９Ｂに関して説明されたＣＣＡ状態決定モジュール９６５、図１１に関して説明したトランシーバモジュール１１５５およびアンテナ１１６０に関連する基地局ＲＦスペクトル帯域モジュール１１７０、ならびに／または図１２に関して説明したプロセッサ１２４０および関係する構成要素を使用して実施され得る。
【０１１５】
[0130]ブロック１５１５において、基地局は、ＣＣＡ状態をＣｏＭＰ協調セット内の１つまたは複数の他の基地局に通信し得る。ブロック１５１５における動作は、場合によっては、図９Ａおよび／もしくは図９Ｂに関して説明した送信機モジュール９３０および９３２に関連するＣｏＭＰモジュール９２０および／もしくは９２２、図９Ｂに関して説明したＣＣＡ状態通信モジュール９７５、図１１に関して説明したトランシーバモジュール１１５５およびアンテナ１１６０に関連する基地局ＲＦスペクトル帯域モジュール１１７０、ならびに／または図１２に関して説明したプロセッサ１２４０および関係する構成要素を使用して実施され得る。
【０１１６】
[0131]ブロック１５２０において、基地局は、基地局からのチャネル状態情報（ＣＳＩ）報告をＣｏＭＰ協調セット内の１つまたは複数の他の基地局に転送し得る。ブロック１５２０における動作は、場合によっては、図９Ａおよび／もしくは図９Ｂに関して説明した送信機モジュール９３０および９３２に関連するＣｏＭＰモジュール９２０および／もしくは９２２、図９Ｂに関して説明したＣＣＡ状態通信モジュール９７５、図１１に関して説明したトランシーバモジュール１１５５およびアンテナ１１６０に関連する基地局ＲＦスペクトル帯域モジュール１１７０、ならびに／または図１２に関して説明したプロセッサ１２４０および関係する構成要素を使用して実施され得る。
【０１１７】
[0132]このようにして、方法１５００は、ＣｏＭＰ通信が競合ベースのチャネルアクセス手順において提供され得るワイヤレス通信を提供し得る。方法１５００は一実装形態にすぎず、方法１５００の動作は、他の実装形態が可能であるように並べ替えられ、または場合によっては修正され得ることに留意されたい。
【０１１８】
[0133]図１６は、本開示の態様による、ワイヤレス通信の方法の一例を概念的に示すフローチャートである。明快のために、方法１６００について、図１、図２、図３、図４、図６、図７、図１０、および／または図１２に関して上記で説明したＵＥ１１５、２１５、３１５、４１５、６１５、７１５、１０１５および／または１２１５の各々を参照しながら以下で説明する。一例では、ＵＥは、以下で説明する機能を実施するためにＵＥの機能要素を制御するためのコードの１つまたは複数のセットを実行し得る。
【０１１９】
[0134]ブロック１６０５において、ＵＥは、無認可無線周波数スペクトルへのアクセスについてのＣＣＡ手順に少なくとも部分的に基づいて、ＣｏＭＰ協調セット内の１つまたは複数の基地局がある時間期間についての競合に勝ったかどうかを決定する。ブロック１６０５における動作は、場合によっては、図１０に関して説明したトランシーバモジュール１０７０およびアンテナ１１８０に関連するＵＥ  ＲＦスペクトル帯域モジュール１０４０および／もしくはＵＥ  ＣｏＭＰモジュール１０５５、ならびに／または図１２に関して説明したプロセッサ１２８０および関係する構成要素を使用して実施され得る。
【０１２０】
[0135]ブロック１６１０において、ＵＥは、競合に勝ったＣｏＭＰ協調セット内の１つまたは複数の基地局からＣｏＭＰ通信を受信し得る。ブロック１６１０における動作は、場合によっては、図１０に関して説明したトランシーバモジュール１０７０およびアンテナ１０８０に関連するＵＥ  ＲＦスペクトル帯域モジュール１０４０および／もしくはＵＥ  ＣｏＭＰモジュール１０５５、ならびに／または図１２に関して説明したプロセッサ１２８０および関係する構成要素を使用して実施され得る。
【０１２１】
[0136]このようにして、方法１６００は、ＵＥが競合ベースのチャネルアクセス展開におけるＣｏＭＰ通信を使用して動作し得るワイヤレス通信を提供し得る。方法１８００は一実装形態にすぎず、方法１８００の動作は、他の実装形態が可能であるように並べ替えられ、または場合によっては修正され得ることに留意されたい。
【０１２２】
[0137]添付の図面に関して上記に記載した詳細な説明は、例示的な例について説明しており、実装され得るまたは特許請求の範囲内に入る唯一の例を表すものではない。この明細書全体にわたって使用される「例示的」という用語は、「例、事例、または例示の働きをすること」を意味し、「好ましい」または「他の例よりも有利である」ことを意味しない。詳細な説明は、説明した技法の理解を提供する目的で、具体的な詳細を含む。しかしながら、これらの技法は、これらの具体的な詳細なしに実践され得る。いくつかの事例では、説明した例の概念を不明瞭にしないために、よく知られている構造およびデバイスがブロック図の形態で示されている。
【０１２３】
[0138]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１２４】
[0139]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書で説明した機能を実施するように設計されたそれらの任意の組合せを用いて実装または実施され得る。汎用プロセッサはマイクロプロセッサであり得るが、代替では、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【０１２５】
[0140]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲の範囲および趣旨内にある。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、「のうちの少なくとも１つ」で始まる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１２６】
[0141]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読記憶媒体は、ＲＡＭ、ＲＯＭ、ＥＥＰＲＯＭ（登録商標）、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備えることができる。また、いかなる接続もコンピュータ可読媒体と適切に呼ばれる。たとえば、同軸ケーブル、光ファイバーケーブル、ツイストペア、デジタル加入者線（「ＤＳＬ」）、または赤外線、無線、およびマイクロ波などのワイヤレス技術を使用して、ソフトウェアがウェブサイト、サーバ、または他のリモートソースから送信される場合、同軸ケーブル、光ファイバーケーブル、ツイストペア、ＤＳＬ、または赤外線、無線、およびマイクロ波などワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１２７】
[0142]本開示の前述の説明は、当業者が本開示を実施または使用することができるように与えたものである。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についていかなる選好も暗示せず、または必要としない。したがって、本開示は、本明細書で説明した例および設計に限定されるべきでなく、本明細書で開示した原理および新規の特徴に一致する最も広い範囲を与えられるべきである。
以下に、出願当初の特許請求の範囲に記載された発明を付記する。
［１］
［Ｃ１］
ワイヤレス通信ネットワーク内の基地局の協調マルチポイント（ＣｏＭＰ）協調セットのうちの基地局によるワイヤレス通信のための方法であって、
無認可無線周波数スペクトル帯域へのアクセスについて競合するためにクリアチャネルアセスメント（ＣＣＡ）手順を実施することと、
時間期間についての競合に勝ったかどうかを示すＣＣＡ状態を決定することと、
前記ＣＣＡ状態を前記ＣｏＭＰ協調セット内の１つまたは複数の他の基地局に通信することと、
を備える、方法。
［Ｃ２］
前記ＣＣＡ手順を実施することが、
拡張クリアチャネルアセスメント（ｅＣＣＡ）手順を実施することを備える、上記Ｃ１に記載の方法。
［Ｃ３］
前記時間期間についての前記競合に勝っているＣＣＡ状態を有する前記ＣｏＭＰ協調セット内の１つまたは複数の基地局を使用してユーザ機器（ＵＥ）とのＣｏＭＰ通信を開始することをさらに備える、上記Ｃ１に記載の方法。
［Ｃ４］
前記１つまたは複数の他の基地局が前記時間期間についての競合に勝ったかどうかを示す前記１つまたは複数の他の基地局の１つまたは複数のＣＣＡ状態を受信することをさらに備える、上記Ｃ１に記載の方法。
［Ｃ５］
前記時間期間が、複数のサブフレームを備える無線フレームを送信するための時間期間に対応し、
前記通信および前記受信が、前記無線フレームのＣＣＡ状態通知時間期間中に実施される、上記Ｃ４に記載の方法。
［Ｃ６］
ＣｏＭＰ通信を開始することが、前記無線フレームの前記ＣＣＡ状態通知時間期間後に実施される、上記Ｃ５に記載の方法。
［Ｃ７］
前記ＣＣＡ状態通知時間期間が、前記ＣＣＡ手順の性質に少なくとも部分的に基づいて決定され得る、上記Ｃ５に記載の方法。
［Ｃ８］
前記ＣｏＭＰ通信を開始することが、前記１つまたは複数の基地局のうちのある基地局によって制御チャネルを前記ＵＥに送信することと、前記１つまたは複数の基地局のうちの残りの基地局によって１つまたは複数のデータチャネルを前記ＵＥに送信することと、を備える、上記Ｃ３に記載の方法。
［Ｃ９］
前記ＣｏＭＰ通信を開始することが、
前記時間期間の少なくとも一部の間に前記基地局から前記ユーザ機器（ＵＥ）への動的ポイント選択（ＤＰＳ）通信を開始することと、
前記１つまたは複数の他の基地局のうちの１つが前記ＵＥとのＤＰＳ通信を実施している間、前記基地局からのＤＰＳ通信を中止することと、
を備える、上記Ｃ３に記載の方法。
［Ｃ１０］
前記時間期間の少なくとも前記一部が、無線フレームのＣＣＡ状態通知時間期間に対応し、前記基地局からのＤＰＳ通信を中止することが、
前記ＵＥへのワイヤレス送信を中止すること、および／または
送信帯域幅しきい値を維持するために１つもしくは複数の他のＵＥに送信することを備える、上記Ｃ９に記載の方法。
［Ｃ１１］
前記時間期間の前記一部が、第１の無線フレームの時間期間に対応し、前記基地局からのＤＰＳ通信を中止することが、第２の無線フレーム中に前記ＵＥへの送信を中止することを備える、上記Ｃ９に記載の方法。
［Ｃ１２］
チャネル状態情報（ＣＳＩ）報告を前記基地局から前記ＣｏＭＰ協調セット内の前記１つまたは複数の他の基地局に転送することをさらに備える、上記Ｃ１に記載の方法。
［Ｃ１３］
前記ＣＳＩ報告が、前記ＣｏＭＰ協調セット内の前記１つまたは複数の他の基地局によって使用するためのランクインジケータ（ＲＩ）を含む、上記Ｃ１２に記載の方法。
［Ｃ１４］
前記ＲＩは、前記基地局の後続のＣＣＡ手順が失敗し、前記１つまたは複数の他の基地局が前記後続のＣＣＡ手順の前記競合に勝つときに、前記ＣｏＭＰ協調セット内の前記１つまたは複数の他の基地局によって使用するためのものである、上記Ｃ１３に記載の方法。
［Ｃ１５］
前記基地局の後続のＣＣＡ手順が失敗し、前記１つまたは複数の他の基地局が前記後続のＣＣＡ手順の前記競合に勝つときに、前記１つまたは複数の他の基地局によって使用するための基準ランクインジケータを、前記基地局から前記ＣｏＭＰ協調セット内の前記１つまたは複数の他の基地局に転送することをさらに備える、上記Ｃ１に記載の方法。
［Ｃ１６］
ワイヤレス通信ネットワーク内の基地局の協調マルチポイント（ＣｏＭＰ）協調セットのうちの基地局によるワイヤレス通信のための装置であって、
無認可無線周波数スペクトル帯域へのアクセスについて競合するためにクリアチャネルアセスメント（ＣＣＡ）手順を実施するための手段と、
時間期間についての競合に勝ったかどうかを示すＣＣＡ状態を決定するための手段と、
前記ＣＣＡ状態を前記ＣｏＭＰ協調セット内の１つまたは複数の他の基地局に通信するための手段と、
を備える装置。
［Ｃ１７］
前記時間期間についての前記競合に勝っているＣＣＡ状態を有する前記ＣｏＭＰ協調セット内の１つまたは複数の基地局を使用してユーザ機器（ＵＥ）とのＣｏＭＰ通信を開始するための手段をさらに備える、上記Ｃ１６に記載の装置。
［Ｃ１８］
前記１つまたは複数の他の基地局が前記時間期間についての競合に勝ったかどうかを示す前記１つまたは複数の他の基地局の１つまたは複数のＣＣＡ状態を受信するための手段をさらに備える、上記Ｃ１６に記載の装置。
［Ｃ１９］
前記時間期間が、複数のサブフレームを備える無線フレームを送信するための時間期間に対応し、
前記通信および前記受信が、前記無線フレームのＣＣＡ状態通知時間期間中に実施される、上記Ｃ１８に記載の装置。
［Ｃ２０］
ＣｏＭＰ通信を開始することが、前記無線フレームの前記ＣＣＡ状態通知時間期間後に実施される、上記Ｃ１９に記載の装置。
［Ｃ２１］
ＣｏＭＰ通信を開始することが、前記１つまたは複数の基地局のうちのある基地局によって制御チャネルを前記ＵＥに送信することと、前記１つまたは複数の基地局のうちの残りの基地局によって１つまたは複数のデータチャネルを前記ＵＥに送信することと、を備える、上記Ｃ１７に記載の装置。
［Ｃ２２］
ＣｏＭＰ通信を開始することが、
前記時間期間の少なくとも一部の間に前記基地局から前記ユーザ機器（ＵＥ）への動的ポイント選択（ＤＰＳ）通信を開始することと、
前記１つまたは複数の他の基地局のうちの１つが前記ＵＥとのＤＰＳ通信を実施している間、前記基地局からのＤＰＳ通信を中止することと、
を備える、上記Ｃ１７に記載の装置。
［Ｃ２３］
前記時間期間の少なくとも前記一部が、無線フレームのＣＣＡ状態通知時間期間に対応し、前記基地局からのＤＰＳ通信を中止することが、
前記ＵＥへのワイヤレス送信を中止すること、および／または
送信帯域幅しきい値を維持するために１つもしくは複数の他のＵＥに送信することを備える、上記Ｃ２２に記載の装置。
［Ｃ２４］
前記時間期間の前記一部が、第１の無線フレームの時間期間に対応し、前記基地局からのＤＰＳ通信を中止することが、第２の無線フレーム中に前記ＵＥへの送信を中止することを備える、上記Ｃ２２に記載の装置。
［Ｃ２５］
チャネル状態情報（ＣＳＩ）報告を前記基地局から前記ＣｏＭＰ協調セット内の前記１つまたは複数の他の基地局に転送することをさらに備える、上記Ｃ１６に記載の装置。
［Ｃ２６］
前記ＣＳＩ報告が、前記ＣｏＭＰ協調セット内の前記１つまたは複数の他の基地局によって使用するためのランクインジケータ（ＲＩ）を含む、上記Ｃ２５に記載の装置。
［Ｃ２７］
前記ＲＩは、前記基地局の後続のＣＣＡ手順が失敗し、前記１つまたは複数の他の基地局が前記後続のＣＣＡ手順の前記競合に勝つときに、前記ＣｏＭＰ協調セット内の前記１つまたは複数の他の基地局によって使用するためのものである、上記Ｃ２６に記載の装置。
［Ｃ２８］
ワイヤレス通信ネットワーク内の基地局の協調マルチポイント（ＣｏＭＰ）協調セットのうちの基地局によるワイヤレス通信のための装置であって、
プロセッサと、
前記プロセッサと電子通信するメモリと、
前記メモリ内に記憶された命令と、を備え、前記命令が、
無認可無線周波数スペクトル帯域へのアクセスについて競合するためにクリアチャネルアセスメント（ＣＣＡ）手順を実施することと、
時間期間についての競合に勝ったかどうかを示すＣＣＡ状態を決定することと、
前記ＣＣＡ状態を前記ＣｏＭＰ協調セット内の１つまたは複数の他の基地局に通信することと
を前記装置に実行させるように前記プロセッサによって実行可能である、装置。
［Ｃ２９］
ワイヤレス通信ネットワーク内のユーザ機器によるワイヤレス通信のための方法であって、
無認可無線周波数スペクトル帯域へのアクセスについてのクリアチャネルアセスメント（ＣＣＡ）手順に少なくとも部分的に基づいて、協調マルチポイント（ＣｏＭＰ）協調セット内の１つまたは複数の基地局が時間期間についての競合に勝ったかどうかを決定することと、
競合に勝った前記ＣｏＭＰ協調セット内の前記１つまたは複数の基地局からＣｏＭＰ通信を受信することと
を備える、方法。
［Ｃ３０］
前記決定に基づいて基準信号測定値を前記１つまたは複数の基地局に送信することをさらに備える、上記Ｃ２９に記載の方法。
【図１】
0006545680.tif 000002
【図２】
0006545680.tif 000003
【図３】
0006545680.tif 000004
【図４Ａ】
0006545680.tif 000005
【図４Ｂ】
0006545680.tif 000006
【図５】
0006545680.tif 000007
【図６】
0006545680.tif 000008
【図７】
0006545680.tif 000009
【図８】
0006545680.tif 000010
【図９Ａ】
0006545680.tif 000011
【図９Ｂ】
0006545680.tif 000012
【図１０】
0006545680.tif 000013
【図１１】
0006545680.tif 000014
【図１２】
0006545680.tif 000015
【図１３】
0006545680.tif 000016
【図１４】
0006545680.tif 000017
【図１５】
0006545680.tif 000018
【図１６】
0006545680.tif 000019